(57)【特許請求の範囲】
【請求項１】
複数の信号を受信するために構成されたワイヤレス通信デバイスであって、
シングルチップキャリアアグリゲーション受信機アーキテクチャを備え、前記シングルチップキャリアアグリゲーション受信機アーキテクチャは、
第１のアンテナと、
第２のアンテナと、
第３のアンテナと、
第４のアンテナと、
トランシーバチップと、
を備え、
前記トランシーバチップは複数のキャリアアグリゲーション受信機を備え、前記シングルチップキャリアアグリゲーション受信機アーキテクチャは、前記複数のキャリアアグリゲーション受信機のうちの少なくとも１つを２次ダイバーシティのために再利用する、ワイヤレス通信デバイス。
【請求項２】
前記複数のキャリアアグリゲーション受信機は、
第１の受信機と、
第２の受信機と、
第３の受信機と、
第４の受信機と、
を備え、前記トランシーバチップは、
送信機と、
第５の受信機と、
をさらに備える、請求項１に記載のワイヤレス通信デバイス。
【請求項３】
前記複数のキャリアアグリゲーション受信機は各々、複数の低雑音増幅器を備え、前記第５の受信機は複数の低雑音増幅器を備える、請求項２に記載のワイヤレス通信デバイス。
【請求項４】
前記第５の受信機は非キャリアアグリゲーション受信機である、請求項２に記載のワイヤレス通信デバイス。
【請求項５】
前記第５の受信機は非同時ハイブリッドデュアル受信機である、請求項２に記載のワイヤレス通信デバイス。
【請求項６】
前記第５の受信機は全地球航法衛星システム受信機である、請求項２に記載のワイヤレス通信デバイス。
【請求項７】
前記第５の受信機はＢｌｕｅｔｏｏｔｈ（登録商標）受信機である、請求項２に記載のワイヤレス通信デバイス。
【請求項８】
前記第５の受信機はＷｉ−Ｆｉ（登録商標）受信機である、請求項２に記載のワイヤレス通信デバイス。
【請求項９】
第１の２次ルーティングは、第４のＲｘ同相／直交位相信号を取得するために、前記第３のアンテナから前記第４の受信機を通して使用され、第２の２次ルーティングは、第５のＲｘ同相／直交位相信号を取得するために、前記第４のアンテナから前記第５の受信機を通して使用される、請求項２に記載のワイヤレス通信デバイス。
【請求項１０】
前記第１の２次ルーティングは第１の４Ｒｘ低雑音増幅器を通り、前記第２の２次ルーティングは第１の５Ｒｘ低雑音増幅器と第２の５Ｒｘ低雑音増幅器とを通る、請求項９に記載のワイヤレス通信デバイス。
【請求項１１】
前記第１の受信機は第１のミキサを備え、前記第２の受信機は第２のミキサを備え、前記第３の受信機は第３のミキサを備え、前記第４の受信機は第４のミキサを備え、前記第５の受信機は第５のミキサを備える、請求項９に記載のワイヤレス通信デバイス。
【請求項１２】
前記第１の２次ルーティングは前記第４のミキサを通る、請求項１１に記載のワイヤレス通信デバイス。
【請求項１３】
前記第４のミキサは、前記第２の受信機上の電圧制御発振器によって駆動される、請求項１２に記載のワイヤレス通信デバイス。
【請求項１４】
前記第４のミキサは、前記第５の受信機上の電圧制御発振器によって駆動される、請求項１２に記載のワイヤレス通信デバイス。
【請求項１５】
前記第４の受信機上の第６のミキサをさらに備え、前記第６のミキサは前記第５の受信機上の電圧制御発振器によって駆動される、請求項１１に記載のワイヤレス通信デバイス。
【請求項１６】
前記第５の受信機上の第６のミキサをさらに備え、前記第６のミキサは前記第５の受信機上の電圧制御発振器によって駆動される、請求項１１に記載のワイヤレス通信デバイス。
【請求項１７】
前記第１の２次ルーティングは第１の５ＲＸ低雑音増幅器を通り、前記第２の２次ルーティングは第２の５ＲＸ低雑音増幅器を通る、請求項９に記載のワイヤレス通信デバイス。
【請求項１８】
前記第４のＲｘ同相／直交位相信号および前記第５のＲｘ同相／直交位相信号はベースバンドデジタルモデムを通過する、請求項９に記載のワイヤレス通信デバイス。
【請求項１９】
前記ベースバンドデジタルモデムは、
第１のアナログデジタルコンバータと、
第１のベースバンドプロセッサと、
コントローラと、
第２のアナログデジタルコンバータと、
デジタルフロントエンドと、
サンプルメモリと、
を備える、請求項１８に記載のワイヤレス通信デバイス。
【請求項２０】
前記第１のアナログデジタルコンバータは全地球航法衛星システムアナログデジタルコンバータであり、前記コントローラは全地球航法衛星システムコントローラであり、前記第２のアナログデジタルコンバータはワイヤレス広帯域エリアネットワークアナログデジタルコンバータであり、前記デジタルフロントエンドはワイヤレス広帯域エリアネットワークデジタルフロントエンドであり、前記サンプルメモリは広帯域エリアネットワークサンプルメモリである、請求項１９に記載のワイヤレス通信デバイス。
【請求項２１】
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、第３のアナログデジタルコンバータと、第２のベースバンドプロセッサと、前記コントローラとを通過する、請求項１９に記載のワイヤレス通信デバイス。
【請求項２２】
前記第３のアナログデジタルコンバータは全地球航法衛星システムアナログデジタルコンバータである、請求項２１に記載のワイヤレス通信デバイス。
【請求項２３】
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、前記第２のアナログデジタルコンバータと、第２のベースバンドプロセッサと、前記コントローラとを通過する、請求項１９に記載のワイヤレス通信デバイス。
【請求項２４】
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、前記第２のアナログデジタルコンバータと、前記デジタルフロントエンドと、第２のベースバンドプロセッサと、前記コントローラとを通過する、請求項１９に記載のワイヤレス通信デバイス。
【請求項２５】
前記ベースバンドデジタルモデムは、
第１のアナログデジタルコンバータと、
第１のデジタルフロントエンドと、
コントローラと、
第２のアナログデジタルコンバータと、
第２のデジタルフロントエンドと、
サンプルメモリと、
を備える、請求項１８に記載のワイヤレス通信デバイス。
【請求項２６】
前記第１のアナログデジタルコンバータはワイヤレスローカルエリアネットワークアナログデジタルコンバータであり、前記第１のデジタルフロントエンドはワイヤレスローカルエリアネットワークデジタルフロントエンドであり、前記コントローラはワイヤレスローカルエリアネットワークコントローラであり、前記第２のアナログデジタルコンバータはワイヤレスワイドエリアネットワークアナログデジタルコンバータであり、前記第２のデジタルフロントエンドはワイヤレスワイドエリアネットワークデジタルフロントエンドであり、前記サンプルメモリはワイドエリアネットワークサンプルメモリである、請求項２５に記載のワイヤレス通信デバイス。
【請求項２７】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第３のアナログデジタルコンバータと、第３のデジタルフロントエンドと、前記コントローラとを通過する、請求項２５に記載のワイヤレス通信デバイス。
【請求項２８】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、第３のデジタルフロントエンドと、前記コントローラとを通過する、請求項２５に記載のワイヤレス通信デバイス。
【請求項２９】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、前記第２のデジタルフロントエンドと、前記コントローラとを通過する、請求項２５に記載のワイヤレス通信デバイス。
【請求項３０】
第１のアンテナと、第２のアンテナと、第３のアンテナと、第４のアンテナとを備えるシングルチップキャリアアグリゲーション受信機アーキテクチャを使用して複数の信号を受信するための方法であって、
前記第３のアンテナを使って第１の２次信号を受信することと、
前記シングルチップキャリアアグリゲーション受信機アーキテクチャ中のトランシーバチップ上の第４の受信機を通して前記第１の２次信号をルーティングすることと、ここで、前記第４の受信機は複数のキャリアアグリゲーション受信機のうちの１つであり、前記第４の受信機は２次ダイバーシティのために再利用され、
前記第４のアンテナを使って第２の２次信号を受信することと、
前記シングルチップキャリアアグリゲーション受信機アーキテクチャ中の前記トランシーバチップ上の第５の受信機を通して前記第２の２次信号をルーティングすることと、
を備える方法。
【請求項３１】
前記第１の２次信号ルーティングは、第４のＲｘ同相／直交位相信号を取得するのに使用され、前記第２の２次信号ルーティングは、第５のＲｘ同相／直交位相信号を取得するのに使用される、請求項３０に記載の方法。
【請求項３２】
前記第５の受信機は非キャリアアグリゲーション受信機である、請求項３０に記載の方法。
【請求項３３】
前記第５の受信機は非同時ハイブリッドデュアル受信機である、請求項３０に記載の方法。
【請求項３４】
前記第５の受信機は全地球航法衛星システム受信機である、請求項３０に記載の方法。
【請求項３５】
前記第５の受信機はＢｌｕｅｔｏｏｔｈ受信機である、請求項３０に記載の方法。
【請求項３６】
前記第５の受信機はＷｉ−Ｆｉ受信機である、請求項３０に記載の方法。
【請求項３７】
前記第１の２次信号は第１の４ＲＸ低雑音増幅器通ってさらにルーティングされ、前記第２の２次信号は、第１の５ＲＸ低雑音増幅器および第２の５ＲＸ低雑音増幅器を通ってさらにルーティングされる、請求項３０に記載の方法。
【請求項３８】
前記複数のキャリアアグリゲーション受信機は、
第１の受信機と、
第２の受信機と、
第３の受信機と、
前記第４の受信機と、
を備える請求項３０に記載の方法。
【請求項３９】
前記複数のキャリアアグリゲーション受信機は各々、複数の低雑音増幅器を備え、前記第５の受信機は複数の低雑音増幅器を備える、請求項３８に記載の方法。
【請求項４０】
前記複数のキャリアアグリゲーション受信機は、
前記第１の受信機上の第１のミキサと、
前記第２の受信機上の第２のミキサと、
前記第３の受信機上の第３のミキサと、
前記第４の受信機上の第４のミキサと、
を備え、前記第５の受信機は第５のミキサを備える、請求項３８に記載の方法。
【請求項４１】
前記第１の２次信号は、前記第４のミキサを通してさらにルーティングされる、請求項４０に記載の方法。
【請求項４２】
前記第４のミキサは、前記第２の受信機上の電圧制御発振器によって駆動される、請求項４１に記載の方法。
【請求項４３】
前記第４のミキサは、前記第５の受信機上の電圧制御発振器によって駆動される、請求項４１に記載の方法。
【請求項４４】
前記トランシーバチップは前記第４の受信機上の第６のミキサをさらに備え、前記第６のミキサは前記第５の受信機上の電圧制御発振器によって駆動される、請求項４０に記載の方法。
【請求項４５】
前記トランシーバチップは前記第５の受信機上の第６のミキサをさらに備え、前記第６のミキサは前記第５の受信機上の電圧制御発振器によって駆動される、請求項４０に記載の方法。
【請求項４６】
前記第１の２次信号は第１の５ＲＸ低雑音増幅器を通ってルーティングされ、前記第２の２次信号は第２の５ＲＸ低雑音増幅器を通ってルーティングされる、請求項３０に記載の方法。
【請求項４７】
前記第４のＲｘ同相／直交位相信号および前記第５のＲｘ同相／直交位相信号はベースバンドデジタルモデムを通過する、請求項３１に記載の方法。
【請求項４８】
前記ベースバンドデジタルモデムは、
第１のアナログデジタルコンバータと、
第１のベースバンドプロセッサと、
コントローラと、
第２のアナログデジタルコンバータと、
デジタルフロントエンドと、
サンプルメモリと、
を備える、請求項４７に記載の方法。
【請求項４９】
前記第１のアナログデジタルコンバータは全地球航法衛星システムアナログデジタルコンバータであり、前記コントローラは全地球航法衛星システムコントローラであり、前記第２のアナログデジタルコンバータはワイヤレス広帯域エリアネットワークアナログデジタルコンバータであり、前記デジタルフロントエンドはワイヤレス広帯域エリアネットワークデジタルフロントエンドであり、前記サンプルメモリは広帯域エリアネットワークサンプルメモリである、請求項４８に記載の方法。
【請求項５０】
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、第３のアナログデジタルコンバータと、第２のベースバンドプロセッサと、前記コントローラとをさらに通過する、請求項４８に記載の方法。
【請求項５１】
前記第３のアナログデジタルコンバータは全地球航法衛星システムアナログデジタルコンバータである、請求項５０に記載の方法。
【請求項５２】
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、前記第２のアナログデジタルコンバータと、第２のベースバンドプロセッサと、前記コントローラとをさらに通過する、請求項４８に記載の方法。
【請求項５３】
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、前記第２のアナログデジタルコンバータと、前記デジタルフロントエンドと、第２のベースバンドプロセッサと、前記コントローラとをさらに通過する、請求項４８に記載の方法。
【請求項５４】
前記ベースバンドデジタルモデムは、
第１のアナログデジタルコンバータと、
第１のデジタルフロントエンドと、
コントローラと、
第２のアナログデジタルコンバータと、
第２のデジタルフロントエンドと、
サンプルメモリと、
を備える、請求項４７に記載の方法。
【請求項５５】
前記第１のアナログデジタルコンバータはワイヤレスローカルエリアネットワークアナログデジタルコンバータであり、前記第１のデジタルフロントエンドはワイヤレスローカルエリアネットワークデジタルフロントエンドであり、前記コントローラはワイヤレスローカルエリアネットワークコントローラであり、前記第２のアナログデジタルコンバータはワイヤレスワイドエリアネットワークアナログデジタルコンバータであり、前記第２のデジタルフロントエンドはワイヤレスワイドエリアネットワークデジタルフロントエンドであり、前記サンプルメモリはワイドエリアネットワークサンプルメモリである、請求項５４に記載の方法。
【請求項５６】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第３のアナログデジタルコンバータと、第３のデジタルフロントエンドと、前記コントローラとを通過する、請求項５４に記載の方法。
【請求項５７】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、前記第２のアナログデジタルコンバータと、第３のデジタルフロントエンドと、前記コントローラとを通過する、請求項５４に記載の方法。
【請求項５８】
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、前記第２のアナログデジタルコンバータと、前記第２のデジタルフロントエンドと、前記コントローラとを通過する、請求項５４に記載の方法。
【請求項５９】
第１のアンテナと、第２のアンテナと、第３のアンテナと、第４のアンテナとを備えるシングルチップキャリアアグリゲーション受信機アーキテクチャを使用して複数の信号を受信するためのコンピュータプログラムであって、前記コンピュータプログラムは、
ワイヤレス通信デバイスに、前記第３のアンテナを使用して第１の２次信号を受信させるためのコードと、
前記ワイヤレス通信デバイスに、前記シングルチップキャリアアグリゲーション受信機アーキテクチャ中のトランシーバチップ上の第４の受信機を通して前記第１の２次信号をルーティングさせるためのコードと、ここで、前記第４の受信機は複数のキャリアアグリゲーション受信機のうちの１つであり、前記第４の受信機は２次ダイバーシティのために再利用され、
前記ワイヤレス通信デバイスに、前記第４のアンテナを使用して第２の２次信号を受信させるためのコードと、
前記ワイヤレス通信デバイスに、前記シングルチップキャリアアグリゲーション受信機アーキテクチャ中の前記トランシーバチップ上の第５の受信機を通して、前記第２の２次信号をルーティングさせるためのコードと、
を備える、コンピュータプログラム。
【請求項６０】
前記第１の２次信号ルーティングは、第４のＲｘ同相／直交位相信号を取得するのに使用され、前記第２の２次信号ルーティングは、第５のＲｘ同相／直交位相信号を取得するのに使用される、請求項５９に記載のコンピュータプログラム。
【請求項６１】
第１のアンテナと、第２のアンテナと、第３のアンテナと、第４のアンテナとを備えるシングルチップキャリアアグリゲーション受信機アーキテクチャを使用して複数の信号を受信するための装置であって、
前記第３のアンテナを使用して第１の２次信号を受信するための手段と、
前記シングルチップキャリアアグリゲーション受信機アーキテクチャ中のトランシーバチップ上の第４の受信機を通して前記第１の２次信号をルーティングするための手段と、ここで、前記第４の受信機は複数のキャリアアグリゲーション受信機のうちの１つであり、前記第４の受信機は２次ダイバーシティのために再利用され、
前記第４のアンテナを使用して第２の２次信号を受信するための手段と、
前記シングルチップキャリアアグリゲーション受信機アーキテクチャ中の前記トランシーバチップ上の第５の受信機を通して前記第２の２次信号をルーティングするための手段と、
を備える装置。
【請求項６２】
前記第１の２次信号ルーティングは、第４のＲｘ同相／直交位相信号を取得するのに使用され、前記第２の２次信号ルーティングは、第５のＲｘ同相／直交位相信号を取得するのに使用される、請求項６１に記載の装置。
【発明の詳細な説明】
【優先権の主張】
【０００１】
関連出願の相互参照
本開示は、その内容全体が参照によりすべての目的のために本明細書に組み込まれる、２０１３年３月１４日に出願された米国非仮出願第１３／８２８，４１７号の優先権を主張する。
【技術分野】
【０００２】
本開示は、一般に、通信システムのためのワイヤレスデバイスに関する。より詳細には、本開示は、非セルラーダイバーシティをサポートするためにシングルチップキャリアアグリゲーション受信機を再利用するためのシステムおよび方法に関する。
【背景技術】
【０００３】
[0003]電子デバイス（セルラー電話、ワイヤレスモデム、コンピュータ、デジタル音楽プレーヤ、全地球測位システムユニット、携帯情報端末、ゲームデバイスなど）は、日常生活の一部になっている。小型のコンピューティングデバイスは現在、自動車から住宅の錠まで、あらゆるものに配置されている。電子デバイスの複雑さは、ここ数年で劇的に増した。たとえば、多くの電子デバイスは、デバイスを制御するのを助ける１つまたは複数のプロセッサ、ならびにプロセッサとデバイスの他の部分とをサポートするためのいくつかのデジタル回路を有する。
【０００４】
[0004]これらの電子デバイスは、互いにおよびネットワークとワイヤレス通信し得る。これらの電子デバイスによる情報の需要が増加するにつれて、ダウンリンクスループットならびに望まれる機能性も増加した。
【０００５】
[0005]電子デバイスは、バッテリー寿命を最大にすることが望ましいことがある。電子デバイスはしばしば、限られた動作時間を持つバッテリー上で動作するので、電子デバイスの電力消費量の低減は電子デバイスのデザイアビリティおよび機能性を高め得る。
【０００６】
[0006]電子デバイスはまた、より小型に、より安価になっている。サイズの縮小とコストの減少の両方を可能にするために、追加の回路およびより複雑な回路が集積回路上で使用されている。したがって、回路によって使用されるダイ面積（die area）が縮小すると、電子デバイスのサイズとコストの両方が低減し得る。電子デバイスのコスト、サイズ、および／または電力消費量を最小限に抑えながら、電子デバイスが再利用回路に関与することを可能にする、電子デバイスに対する改善によって、利益が実現され得る。
【発明の概要】
【０００７】
[0007]複数の信号を受信するために構成されたワイヤレス通信デバイスについて記載する。ワイヤレス通信デバイスは、シングルチップキャリアアグリゲーション受信機アーキテクチャを含む。シングルチップキャリアアグリゲーション受信機アーキテクチャは、第１のアンテナと、第２のアンテナと、第３のアンテナと、第４のアンテナと、トランシーバチップとを含む。トランシーバチップは、複数のキャリアアグリゲーション受信機を含む。シングルチップキャリアアグリゲーション受信機アーキテクチャは、キャリアアグリゲーション受信機のうちの少なくとも１つを、２次ダイバーシティのために再利用する。
【０００８】
[0008]複数のキャリアアグリゲーション受信機は、第１の受信機と、第２の受信機と、第３の受信機と、第４の受信機とを含み得る。トランシーバチップは、送信機と第５の受信機とを含み得る。複数のキャリアアグリゲーション受信機は各々、複数の低雑音増幅器を含み得る。第５の受信機は、複数の低雑音増幅器も含み得る。
【０００９】
[0009]第５の受信機は、非キャリアアグリゲーション受信機、非同時（non-simultaneous）ハイブリッドデュアル受信機、全地球航法衛星システム（global navigation satellite system）受信機、Ｂｌｕｅｔｏｏｔｈ（登録商標）受信機またはＷｉ−Ｆｉ（登録商標）受信機であり得る。
【００１０】
[0010]第４のＲｘ同相／直交位相（inphase/quadrature）信号を取得するために、第３のアンテナから第４の受信機を通る第１の２次ルーティングが使われ得る。第５のＲｘ同相／直交位相信号を取得するために、第４のアンテナから第５の受信機を通る第２の２次ルーティングが使われ得る。第１の２次ルーティングは、第１の４Ｒｘ低雑音増幅器を通り得る。第２の２次ルーティングは、第１の５Ｒｘ低雑音増幅器と第２の５Ｒｘ低雑音増幅器とを通り得る。
【００１１】
[0011]第１の受信機は第１のミキサを含み得る。第２の受信機は第２のミキサを含み得る。第３の受信機は第３のミキサを含み得る。第４の受信機は第４のミキサを含み得る。第５の受信機は第５のミキサを含み得る。
【００１２】
[0012]第１の２次ルーティングは第４のミキサを通り得る。第４のミキサは、第２の受信機上の電圧制御発振器によって、および／または第５の受信機上の電圧制御発振器によって駆動され得る。
【００１３】
[0013]ワイヤレス通信デバイスは、第４の受信機または第５の受信機上の第６のミキサを含み得る。第６のミキサは、第５の受信機上の電圧制御発振器によって駆動され得る。
【００１４】
[0014]第１の２次ルーティングは、第１の５ＲＸ低雑音増幅器を通り得る。第２の２次ルーティングは、第２の５ＲＸ低雑音増幅器を通り得る。
【００１５】
[0015]第４のＲｘ同相／直交位相信号および第５のＲｘ同相／直交位相信号は、ベースバンドデジタルモデムを通過し得る。ベースバンドデジタルモデムは、第１のアナログデジタルコンバータと、第１のベースバンドプロセッサと、コントローラと、第２のアナログデジタルコンバータと、デジタルフロントエンドと、サンプルメモリとを含み得る。
【００１６】
[0016]第１のアナログデジタルコンバータは、全地球航法衛星システムアナログデジタルコンバータであり得る。コントローラは、全地球航法衛星システムコントローラであり得る。第２のアナログデジタルコンバータは、ワイヤレス広帯域エリアネットワークアナログデジタルコンバータであり得る。デジタルフロントエンドは、ワイヤレス広帯域エリアネットワークデジタルフロントエンドであり得る。サンプルメモリは、広帯域エリアネットワークサンプルメモリであり得る。
【００１７】
[0017]第４のＲｘ同相／直交位相信号は、第１のアナログデジタルコンバータと、第１のベースバンドプロセッサと、コントローラとを通過し得る。第５のＲｘ同相／直交位相信号は、第２のアナログデジタルコンバータと、デジタルフロントエンドと、サンプルメモリとを通過し得る。第５のＲｘ同相／直交位相信号は、第３のアナログデジタルコンバータと、第２のベースバンドプロセッサと、コントローラとを通過し得る。
【００１８】
[0018]第３のアナログデジタルコンバータは、全地球航法衛星システムアナログデジタルコンバータであり得る。第４のＲｘ同相／直交位相信号は、第１のアナログデジタルコンバータと、第１のベースバンドプロセッサと、コントローラとを通過し得る。第５のＲｘ同相／直交位相信号は、第２のアナログデジタルコンバータと、デジタルフロントエンドと、サンプルメモリとを通過し得る。第５のＲｘ同相／直交位相信号は、第２のアナログデジタルコンバータと、第２のベースバンドプロセッサと、コントローラとを通過し得る。
【００１９】
[0019]第４のＲｘ同相／直交位相信号は、第１のアナログデジタルコンバータと、第１のベースバンドプロセッサと、コントローラとを通過し得る。第５のＲｘ同相／直交位相信号は、第２のアナログデジタルコンバータと、デジタルフロントエンドと、サンプルメモリとを通過し得る。第５のＲｘ同相／直交位相信号は、第２のアナログデジタルコンバータと、デジタルフロントエンドと、第２のベースバンドプロセッサと、コントローラとを通過し得る。
【００２０】
[0020]ベースバンドデジタルモデムは、第１のアナログデジタルコンバータと、第１のデジタルフロントエンドと、コントローラと、第２のアナログデジタルコンバータと、第２のデジタルフロントエンドと、サンプルメモリとを含み得る。第１のアナログデジタルコンバータは、ワイヤレス広帯域エリアネットワークアナログデジタルコンバータであり得る。第１のデジタルフロントエンドは、ワイヤレス広帯域エリアネットワークデジタルフロントエンドであり得る。コントローラは、ワイヤレス広帯域エリアネットワークコントローラであり得る。第２のアナログデジタルコンバータは、ワイヤレス広帯域エリアネットワークアナログデジタルコンバータであり得る。第２のデジタルフロントエンドは、ワイヤレス広帯域エリアネットワークデジタルフロントエンドであり得る。サンプルメモリは、広帯域エリアネットワークサンプルメモリであり得る。
【００２１】
[0021]第４のＲｘ同相／直交位相信号は、第１のアナログデジタルコンバータと、第１のデジタルフロントエンドと、コントローラとを通過し得る。第５のＲｘ同相／直交位相信号は、第２のアナログデジタルコンバータと、第２のデジタルフロントエンドと、サンプルメモリとを通過し得る。別の構成では、第５のＲｘ同相／直交位相信号は、第３のアナログデジタルコンバータと、第３のデジタルフロントエンドと、コントローラとを通過し得る。さらに別の構成では、第５のＲｘ同相／直交位相信号は、第２のアナログデジタルコンバータと、第３のデジタルフロントエンドと、コントローラとを通過し得る。第５のＲｘ同相／直交位相信号は、第２のアナログデジタルコンバータと、第２のデジタルフロントエンドと、コントローラとを通過し得る。
【００２２】
[0022]第１のアンテナと、第２のアンテナと、第３のアンテナと、第４のアンテナとを含むシングルチップキャリアアグリゲーション受信機アーキテクチャを使って複数の信号を受信するための方法についても記載する。第１の２次信号が、第３のアンテナを使って受信される。第１の２次信号は、シングルチップキャリアアグリゲーション受信機アーキテクチャ中のトランシーバチップ上の第４の受信機を通してルーティングされる。第４の受信機は、複数のキャリアアグリゲーション受信機のうちの１つである。第４の受信機は、２次ダイバーシティのために再利用される。第２の２次信号が、第４のアンテナを使って受信される。第２の２次信号は、シングルチップキャリアアグリゲーション受信機アーキテクチャ中のトランシーバチップ上の第５の受信機を通してルーティングされる。
【００２３】
[0023]第１のアンテナと、第２のアンテナと、第３のアンテナと、第４のアンテナとを含むシングルチップキャリアアグリゲーション受信機アーキテクチャを使って複数の信号を受信するためのコンピュータプログラム製品について記載する。このコンピュータプログラム製品は、命令を持つ非一時的なコンピュータ読取り可能な媒体を含む。命令は、ワイヤレス通信デバイスに、第３のアンテナを使用して第１の２次信号を受信させるためのコードを含む。命令は、ワイヤレス通信デバイスに、シングルチップキャリアアグリゲーション受信機アーキテクチャ中のトランシーバチップ上の第４の受信機を通して第１の２次信号をルーティングさせるためのコードも含む。第４の受信機は、複数のキャリアアグリゲーション受信機のうちの１つである。第４の受信機は、２次ダイバーシティのために再利用される。命令は、ワイヤレス通信デバイスに、第４のアンテナを使用して第２の２次信号を受信させるためのコードをさらに含む。命令は、ワイヤレス通信デバイスに、シングルチップキャリアアグリゲーション受信機アーキテクチャ中のトランシーバチップ上の第５の受信機を通して第２の２次信号をルーティングさせるためのコードも含む。
【００２４】
[0024]第１のアンテナと、第２のアンテナと、第３のアンテナと、第４のアンテナとを含むシングルチップキャリアアグリゲーション受信機アーキテクチャを使って複数の信号を受信するための装置についても記載する。装置は、第３のアンテナを使って第１の２次信号を受信するための手段を含む。装置は、シングルチップキャリアアグリゲーション受信機アーキテクチャ中のトランシーバチップ上の第４の受信機を通して第１の２次信号をルーティングするための手段も含む。第４の受信機は、複数のキャリアアグリゲーション受信機のうちの１つである。第４の受信機は、２次ダイバーシティのために再利用される。装置は、第４のアンテナを使って第２の２次信号を受信するための手段をさらに含む。装置は、シングルチップキャリアアグリゲーション受信機アーキテクチャ中のトランシーバチップ上の第５の受信機を通して第２の２次信号をルーティングするための手段も含む。
【図面の簡単な説明】
【００２５】
【図１】本システムおよび方法において使用するためのワイヤレス通信デバイスを示す図。
【図２】バンド間モードで動作するシングルチップキャリアアグリゲーション受信機アーキテクチャを示すブロック図。
【図３】シングルチップキャリアアグリゲーション受信機アーキテクチャを示すブロック図。
【図４】シングルチップキャリアアグリゲーション受信機アーキテクチャを使って信号を受信するための方法の流れ図。
【図５】ダイバーシティモードで動作するシングルチップキャリアアグリゲーション受信機アーキテクチャを示すブロック図。
【図６】２次ダイバーシティを達成するのにキャリアアグリゲーション受信機を再利用するシングルチップキャリアアグリゲーション受信機アーキテクチャを示すブロック図。
【図７】２次ダイバーシティを達成するのに、キャリアアグリゲーション受信機の受信機フロントエンドとベースバンドフィルタ（ＢＢＦ）とを再利用するシングルチップキャリアアグリゲーション受信機アーキテクチャを示すブロック図。
【図８】２次ダイバーシティを達成するのに、キャリアアグリゲーション受信機のベースバンドフィルタ（ＢＢＦ）を再利用するシングルチップキャリアアグリゲーション受信機アーキテクチャを示すブロック図。
【図９】２次（たとえば、全地球航法衛星システム（ＧＮＳＳ））ダイバーシティのために使われるベースバンドデジタルモデムの一構成を示すブロック図。
【図１０】２次（たとえば、全地球航法衛星システム（ＧＮＳＳ））ダイバーシティのために使われるベースバンドデジタルモデムの別の構成を示すブロック図。
【図１１】２次（たとえば、全地球航法衛星システム（ＧＮＳＳ））ダイバーシティのために使われるベースバンドデジタルモデムのさらに別の構成を示すブロック図。
【図１２】２次（たとえば、ワイヤレスワイドエリアネットワーク（ＷＷＡＮ））ダイバーシティのために使われるベースバンドデジタルモデムの一構成を示すブロック図。
【図１３】２次（たとえば、ワイヤレスワイドエリアネットワーク（ＷＷＡＮ））ダイバーシティのために使われるベースバンドデジタルモデムの別の構成を示すブロック図。
【図１４】２次（たとえば、ワイヤレスワイドエリアネットワーク（ＷＷＡＮ））ダイバーシティのために使われるベースバンドデジタルモデムのさらに別の構成を示すブロック図。
【図１５】ワイヤレス通信デバイス内に含まれ得るいくつかの構成要素を示す図。
【発明を実施するための形態】
【００２６】
[0040]第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイル電気通信システム（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ機器」（ＵＥ）と呼ばれることがある。
【００２７】
[0041]３ＧＰＰ仕様は、進化型グローバルシステムフォーモバイルコミュニケーションズ（ＧＳＭ（登録商標））仕様に基づいており、ユニバーサルモバイル電気通信システム（ＵＭＴＳ）として一般に知られている。３ＧＰＰ規格はリリースとして構造化されている。したがって、３ＧＰＰについての説明では、しばしば、あるリリースまたは別のリリースにおける機能性に言及する。たとえば、リリース９９は、ＣＤＭＡエアインターフェースを組み込んだ、最初のＵＭＴＳ第３世代（３Ｇ）ネットワークを規定する。リリース６は、動作をワイヤレスローカルエリアネットワーク（ＬＡＮ）ネットワークと一体化し、高速アップリンクパケットアクセス（ＨＳＵＰＡ）を追加する。リリース８はデュアルダウンリンクキャリアを導入し、リリース９はデュアルキャリア動作をＵＭＴＳのためのアップリンクに拡張する。
【００２８】
[0042]ＣＤＭＡ２０００は、ワイヤレスデバイス間で音声、データおよびシグナリングを送るために符号分割多元接続（ＣＤＭＡ）を使用する第３世代（３Ｇ）技術規格のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．ＡおよびＣＤＭＡ２０００  ＥＶ−ＤＯ  Ｒｅｖ．Ｂ．１ｘを含むことができ、または１ｘＲＴＴは、コアＣＤＭＡ２０００ワイヤレスエアインターフェース規格を指す。１ｘは、より詳細には１×Ｒａｄｉｏ  Ｔｒａｎｓｍｉｓｓｉｏｎ  Ｔｅｃｈｎｏｌｏｇｙを指し、ＩＳ−９５において使用されるのと同じ無線周波（ＲＦ）帯域幅を示す。１ｘＲＴＴは、６４個の追加のトラフィックチャネルを順方向リンクに追加する。ＥＶ−ＤＯは、エボリューションデータオプティマイズド（Evolution-Data Optimized）を指す。ＥＶ−ＤＯは、無線信号を介したデータのワイヤレス送信のための電気通信規格である。
【００２９】
[0043]図１は、本システムおよび方法において使用するためのワイヤレス通信デバイス１０４を示す。ワイヤレス通信デバイス１０４は、端末、アクセス端末、ユーザ機器（ＵＥ）、加入者ユニット、局などとも呼ばれることがあり、それらの機能性の一部または全部を含み得る。ワイヤレス通信デバイス１０４は、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などであり得る。ワイヤレス通信デバイス１０４は移動または固定であり得る。ワイヤレス通信デバイス１０４は、所与の瞬間にダウンリンクおよび／またはアップリンク上の０、１つまたは複数の基地局と通信し得る。ダウンリンク（または順方向リンク）は、基地局からワイヤレス通信デバイス１０４への通信リンクを指し、アップリンク（または逆方向リンク）は、ワイヤレス通信デバイス１０４から基地局への通信リンクを指す。アップリンクおよびダウンリンクは、通信リンク、または通信リンクに使用されるキャリアを指し得る。
【００３０】
[0044]ワイヤレス通信デバイス１０４は、基地局など、他のワイヤレスデバイスを含むワイヤレス通信システムにおいて動作し得る。基地局は、１つまたは複数のワイヤレス通信デバイス１０４と通信する局である。基地局は、アクセスポイント、ブロードキャスト送信機、ノードＢ、進化型（evolved）ノードＢなどと呼ばれることもあり、それらの機能性の一部または全部を含み得る。各基地局は特定の地理的エリアに通信カバレージを与える。基地局は、１つまたは複数のワイヤレス通信デバイス１０４に通信カバレージを与え得る。「セル」という用語は、その用語が使用されるコンテキストに応じて、基地局および／またはそれのカバレージエリアを指すことができる。
【００３１】
[0045]ワイヤレス通信デバイス１０４は、第１のアンテナ１０６と、第２のアンテナ１０８と、第３のアンテナ１０７と、第４のアンテナ１０９とを含み得る。いくつかの構成では、第４のアンテナ１０９は、第３のバンド上でデータを送り、かつ／または受信するための専用アンテナであってよい。たとえば、第４のアンテナ１０９は、専用の全地球測位システム（ＧＰＳ）またはＷｉ−Ｆｉアンテナであってよい。いくつかの構成では、第３のアンテナ１０７も、キャリアアグリゲーションに使われないときは、第３のバンド上でデータを送り、かつ／または受信するために使われ得る。このように、第３のアンテナ１０７および第４のアンテナ１０９は、第３のバンドのダイバーシティを達成するのに使われ得る。本明細書で使用するように、ダイバーシティは、ワイヤレスリンクの品質と信頼性とを向上するのに、２つ以上のアンテナを使うことを指す。たとえば、第３のバンドがＷｉ−Ｆｉバンドである場合、２次ダイバーシティは、Ｗｉ−Ｆｉ信号を受信するのに第３のアンテナ１０７と第４のアンテナ１０９の両方を使うことによって、Ｗｉ−Ｆｉ信号の品質と信頼性とを向上することを指す。
【００３２】
[0046]ワイヤレス通信システム（たとえば、多元接続システム）における通信は、ワイヤレスリンクを介した送信によって達成され得る。そのような通信リンクは、単入力単出力（ＳＩＳＯ）または多入力多出力（ＭＩＭＯ）システムを介して確立され得る。多入力多出力（ＭＩＭＯ）システムは、それぞれ、データ伝送のために複数（ＮＴ）個の送信アンテナと複数（ＮＲ）個の受信アンテナとを装備した、送信機と受信機とを含む。ＳＩＳＯシステムは多入力多出力（ＭＩＭＯ）システムの特定の例である。多入力多出力（ＭＩＭＯ）システムでは、複数の送信アンテナおよび受信アンテナによって生成される追加の次元数が利用された場合、性能の改善（たとえば、スループットの向上、容量の増大または信頼性の改善）を与えることが可能である。
【００３３】
[0047]ワイヤレス通信システムは、単入力多出力（ＳＩＭＯ）と多入力多出力（ＭＩＭＯ）の両方を利用し得る。ワイヤレス通信システムは、利用可能なシステムリソース（たとえば、帯域幅および送信電力）を共有することによって複数のワイヤレス通信デバイス１０４との通信をサポートすることが可能な多元接続システムであり得る。そのような多元接続システムの例としては、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００３４】
[0048]トランシーバチップ１１０は、第１のアンテナ１０６、第２のアンテナ１０８、第３のアンテナ１０７および第４のアンテナ１０９に結合され得る。トランシーバチップ１１０は、送信機と、複数のキャリアアグリゲーション受信機とを含み得る。複数のキャリアアグリゲーション受信機は、第１の受信機（１Ｒｘ）１４０と、第２の受信機（２Ｒｘ）１４２と、第３の受信機（３Ｒｘ）１４４と、第４の受信機（４Ｒｘ）１４６とを含み得る。トランシーバチップ１１０は、２次送信機と第５の受信機（５Ｒｘ）１４７とを含み得る。
【００３５】
[0049]非同時ハイブリッドデュアル受信機（ＳＨＤＲ）モードおよび／または非キャリアアグリゲーションモードで動作しているとき、第３の受信機（３Ｒｘ）１４４および／または第４の受信機（４Ｒｘ）１４６はアイドルであり得る。言い換えると、第３の受信機（３Ｒｘ）１４４および／または第４の受信機（４Ｒｘ）１４６は、ワイヤレス通信デバイス１０４の非同時ハイブリッドデュアル受信機（ＳＨＤＲ）動作および／またはキャリアアグリゲーション動作には使用されなくてよい。この場合、第３の受信機（３Ｒｘ）１４４および／または第４の受信機（４Ｒｘ）１４６は、２次ダイバーシティのために再利用され得る。第３の受信機（３Ｒｘ）１４４および／または第４の受信機（４Ｒｘ）１４６を２次ダイバーシティのために使うことによって、ワイヤレス通信デバイス１０４は、追加アンテナも回路構成も要求せずに、第３のバンド（たとえば、非セルラーバンド）の２次ダイバーシティを利用することが可能であり得る。第３のバンド用の追加アンテナおよび／または受信機を使うことによって、第３のバンドの多入力多出力（ＭＩＭＯ）能力が拡張され得る。言い換えると、第３のバンドの品質と信頼性が向上され得る。たとえば、第３のバンドが全地球測位システム（ＧＰＳ）またはＷｉ−Ｆｉに対応する場合、第４のアンテナ１０９および対応する第５の受信機（５Ｒｘ）１４７に加え、第３のアンテナ１０７を、対応する第４の受信機（４Ｒｘ）１４６とともに再利用すると、全地球測位システム（ＧＰＳ）またはＷｉ−Ｆｉの多入力多出力（ＭＩＭＯ）能力が増す。
【００３６】
[0050]いくつかの構成では、第１のアンテナ１０６は１次アンテナであってよく、第１の受信機（１Ｒｘ）１４０は１次受信機であってよい。第２のアンテナ１０８は２次アンテナであってよく、第２の受信機（２Ｒｘ）１４２は２次受信機であってよい。第３のアンテナ１０７は３次アンテナであってよく、第３の受信機（３Ｒｘ）１４４は３次受信機であってよい。第４のアンテナ１０９は４次アンテナであってよく、第４の受信機（４Ｒｘ）１４６は４次受信機であってよい。第５の受信機（５Ｒｘ）１４７は２次受信機であってよい。たとえば、第５の受信機（５Ｒｘ）１４７は、非同時ハイブリッドダイバーシティ受信機（ＳＨＤＲ）受信機、非キャリアアグリゲーション受信機または別のタイプの非セルラー技術受信機であってよい。たとえば、第５の受信機（５Ｒｘ）１４７は、全地球航法衛星システム（ＧＮＳＳ）、全地球測位システム（ＧＰＳ）、Ｗｉ−Ｆｉ（たとえば、ワイヤレスローカルエリアネットワーク（ＷＬＡＮ））またはＢｌｕｅｔｏｏｔｈ受信機であってよい。
【００３７】
[0051]トランシーバチップ１１０の第１の受信機（１Ｒｘ）１４０は、ワイヤレス通信デバイス１０４上のベースバンドデジタルモデム１２２に１Ｒｘ同相／直交位相（Ｉ／Ｑ）信号１１２を出力することができる。トランシーバチップ１１０の第２の受信機（２Ｒｘ）１４２は、ベースバンドデジタルモデム１２２に２Ｒｘ同相／直交位相（Ｉ／Ｑ）信号１１４を出力することができる。トランシーバチップ１１０の第３の受信機（３Ｒｘ）１４４は、ベースバンドデジタルモデム１２２に３Ｒｘ同相／直交位相（Ｉ／Ｑ）信号１１６を出力することができる。トランシーバチップ１１０の第４の受信機（４Ｒｘ）１４６は、ベースバンドデジタルモデム１２２に４Ｒｘ同相／直交位相（Ｉ／Ｑ）信号１１８を出力することができる。１Ｒｘ同相／直交位相（Ｉ／Ｑ）信号１１２、２Ｒｘ同相／直交位相（Ｉ／Ｑ）信号１１４、３Ｒｘ同相／直交位相（Ｉ／Ｑ）信号１１６、および４Ｒｘ同相／直交位相（Ｉ／Ｑ）信号１１８は、キャリアアグリゲーション信号に対応し得る。
【００３８】
[0052]トランシーバチップ１１０の第５の受信機（５Ｒｘ）１４７は、ベースバンドデジタルモデム１２２に５Ｒｘ同相／直交位相（Ｉ／Ｑ）信号１１９を出力することができる。５Ｒｘ同相／直交位相（Ｉ／Ｑ）信号１１９は、２次信号に対応し得る。２次ダイバーシティモードなどのいくつかの構成では、５Ｒｘ同相／直交位相（Ｉ／Ｑ）信号１１９は２次信号と呼ばれ得る。
【００３９】
[0053]いくつかの構成では、ワイヤレス通信デバイス１０４は、キャリアアグリゲーション受信機のうちの１つまたは複数（たとえば、第３の受信機（３Ｒｘ）１４４および第４の受信機（４Ｒｘ）１４６）を２次ダイバーシティのために再利用するシングルチップキャリアアグリゲーション受信機アーキテクチャ１２５を使うことができる。２次ダイバーシティは、非同時ハイブリッドデュアル受信機（ＳＨＤＲ）モードおよび／または非キャリアアグリゲーションモードで動作するシングルチップキャリアアグリゲーション受信機アーキテクチャ１２５を含み得る。このようにして、シングルチップキャリアアグリゲーション受信機アーキテクチャ１２５は、２次信号を受信および処理する品質と信頼性とを向上するのに再利用され得る。たとえば、２次信号がＷｉ−Ｆｉバンドである場合、２次ダイバーシティは、Ｗｉ−Ｆｉ信号を受信するのにトランシーバチップ１１０のいくつかの部分を再利用することによって、Ｗｉ−Ｆｉ信号の品質と信頼性とを向上することができる。
【００４０】
[0054]ベースバンドデジタルモデム１２２は、１Ｒｘ同相／直交位相（Ｉ／Ｑ）信号１１２、２Ｒｘ同相／直交位相（Ｉ／Ｑ）信号１１４、３Ｒｘ同相／直交位相（Ｉ／Ｑ）信号１１６、４Ｒｘ同相／直交位相（Ｉ／Ｑ）信号１１８および５Ｒｘ同相／直交位相（Ｉ／Ｑ）信号１１９に対して処理を実施することができる。たとえば、ベースバンドデジタルモデム１２２はアナログデジタルコンバータ（ＡＤＣ）を使用して信号をデジタル領域に変換し、デジタル信号プロセッサ（ＤＳＰ）を使用して信号に対してデジタル処理を実施し得る。ベースバンドデジタルモデム１２２は次いで、第１のキャリア信号１２４ａと、第２のキャリア信号１２４ｂと、第３のキャリア信号１２４ｃと、第４のキャリア信号１２４ｄと、第５のキャリア信号１２４ｅとを出力することができる。キャリア信号１２４は、信号が使ったキャリアを指し得る。
【００４１】
[0055]一構成では、第１のキャリア信号１２４ａおよび第２のキャリア信号１２４ｂはローバンド中にあってよく、一方第３のキャリア信号１２４ｃおよび第４のキャリア信号１２４ｄはミッドバンド内にある。これは、Ｒｅｌ−１０によれば、バンド間動作またはデュアルバンド４キャリアと呼ばれることがある。別の構成では、第１のキャリア信号１２４ａ、第２のキャリア信号１２４ｂ、第３のキャリア信号１２４ｃおよび第４のキャリア信号１２４ｄはすべて、ローバンドなどのシングルバンド内にあってよい。これは、Ｒｅｌ−１０において、バンド内動作またはシングルバンド４キャリアと呼ばれることがある。いくつかの構成では第５のキャリア信号１２４ｅは第３のバンド内にあってよい。たとえば、第３のバンドは、全地球航法衛星システム（ＧＮＳＳ）、全地球測位システム（ＧＰＳ）またはＷｉ−Ｆｉバンドであり得る。
【００４２】
[0056]図２は、シングルチップキャリアアグリゲーション受信機アーキテクチャ２２５を示すブロック図である。図２のシングルチップキャリアアグリゲーション受信機アーキテクチャ２２５は、図１のシングルチップキャリアアグリゲーション受信機アーキテクチャ１２５の一構成であり得る。シングルチップキャリアアグリゲーション受信機アーキテクチャ２２５は、第１のアンテナ２０６と、第２のアンテナ２０８と、第３のアンテナ２０７と、第４のアンテナ２０９と、トランシーバチップ２１０とを含み得る。第１のアンテナ２０６および第２のアンテナ２０８は、デュアルバンド４キャリア信号を（すなわち、第１のバンド２７０および第２のバンド２７２（第１のバンド２７０と第２のバンド２７２は互いとは分離される）を介して４つのキャリア２７４ａ〜ｄを）受信するのに使われ得る。
【００４３】
[0057]トランシーバチップ２１０は、送信機２３２と、第１の受信機（１Ｒｘ）２４０と、第２の受信機（２Ｒｘ）２４２と、第３の受信機（３Ｒｘ）２４４と、第４の受信機（４Ｒｘ）２４６と、第５の（５Ｒｘ）受信機２４７とを含み得る。第１のアンテナ２０６は、第１の受信機（１Ｒｘ）２４０の１Ｒｘ回路２６８ａに結合され得る。１Ｒｘ回路２６８ａは、１Ｒｘ低雑音増幅器（ＬＮＡ）と、ダウンコンバート回路と、１Ｒｘベースバンドフィルタ（ＢＢＦ）とを含み得る。１Ｒｘ回路２６８ａは、第１のバンド２７０中の第１のキャリア２７４ａと第２のキャリア２７４ｂとを含む１Ｒｘ同相／直交位相（Ｉ／Ｑ）信号２１２を出力することができる。本明細書で使用する、ソース低雑音増幅器（ＬＮＡ）は、信号ルーティングがそこから行われる低雑音増幅器（ＬＮＡ）を指し、ターゲット低雑音増幅器（ＬＮＡ）は、信号ルーティングが向けられる低雑音増幅器（ＬＮＡ）を指す。
【００４４】
[0058]第２のアンテナ２０８は、第２の受信機（２Ｒｘ）２４２の２Ｒｘ回路２６８ｂに結合され得る。２Ｒｘ回路２６８ｂは、２Ｒｘ低雑音増幅器（ＬＮＡ）と、ダウンコンバート回路と、２Ｒｘベースバンドフィルタ（ＢＢＦ）とを含み得る。２Ｒｘ回路２６８ｂは、第１のバンド２７０中の第１のキャリア２７４ａと第２のキャリア２７４ｂとを含む２Ｒｘ同相／直交位相（Ｉ／Ｑ）信号２１４を出力することができる。
【００４５】
[0059]いくつかの構成では、第３のアンテナ２０７は、第４の受信機（４Ｒｘ）２４６の４Ｒｘ回路２６８ｄに結合され得る。４Ｒｘ回路２６８ｄは、４Ｒｘ低雑音増幅器（ＬＮＡ）と、ダウンコンバート回路と、４Ｒｘベースバンドフィルタ（ＢＢＦ）とを含み得る。４Ｒｘ回路２６８ｄは、第３のバンド２７６中の２次信号２７８を含む４Ｒｘ同相／直交位相（Ｉ／Ｑ）信号２１８を出力することができる。他の構成では、第４の受信機（４Ｒｘ）２４６はアイドルであり、キャリアアグリゲーションには使われない。
【００４６】
[0060]いくつかの構成では、第３のアンテナ２０７は、２次信号２７８を（すなわち、第３のバンド２７６を介して２次信号２７８を）受信するのに使われ得る。たとえば、第３のアンテナ２０７は、第１の２次信号を受信することができる。たとえば、第３のバンド２７６は、全地球航法衛星システム（ＧＮＳＳ）バンド、全地球測位システム（ＧＰＳ）バンド、Ｗｉ−Ｆｉバンドまたは他の何らかのタイプのバンドであってよい。この構成において、４Ｒｘ回路２６８ｄは、第３のバンド２７６中の２次信号２７８を含む４Ｒｘ同相／直交位相（Ｉ／Ｑ）信号２１８を出力することができる。
【００４７】
[0061]第４のアンテナ２０９は２次信号２７８を受信するのに使われ得る。たとえば、第４のアンテナ２０９は、２次信号２７８（たとえば、第２の２次信号２７８）を受信することもできる。第４のアンテナ２０９は、第５の受信機（５Ｒｘ）２４７の５Ｒｘ回路２６８ｅに結合され得る。５Ｒｘ回路２６８ｅは、５Ｒｘ低雑音増幅器（ＬＮＡ）と、ダウンコンバート回路と、５Ｒｘベースバンドフィルタ（ＢＢＦ）とを含み得る。５Ｒｘ回路２６８ｅは、第３のバンド２７６中の２次信号２７８を含む５Ｒｘ同相／直交位相（Ｉ／Ｑ）信号２１９を出力することができる。
【００４８】
[0062]いくつかの構成では、第３のアンテナ２０７は、全地球測位システム（ＧＰＳ）信号など、あるタイプの２次信号２７８を受信するのに使うことができ、一方第４のアンテナ２０９は、Ｗｉ−Ｆｉ信号など、別のタイプの２次信号２７８を受信するのに使うことができる。したがって、この構成において、アイドルな第４の受信機（４Ｒｘ）２４６は、あるタイプの非セルラー２次ダイバーシティを達成するのに使うことができ、一方第５の受信機（５Ｒｘ）２４７は、別のタイプの非セルラー２次ダイバーシティを達成するのに使うことができる。
【００４９】
[0063]図３は、シングルチップキャリアアグリゲーション受信機アーキテクチャ３２５を示すブロック図である。図３のシングルチップキャリアアグリゲーション受信機アーキテクチャ３２５は、図１のシングルチップキャリアアグリゲーション受信機アーキテクチャ１２５の一構成であり得る。シングルチップキャリアアグリゲーション受信機アーキテクチャ３２５は、第１のアンテナ３０６と、第１のローパス・ハイパス・ダイプレクサ３２６ａと、第１のスイッチ３２８ａと、４つのデュプレクサ３３０ａ〜ｄと、第２のアンテナ３０８と、第２のローパス・ハイパス・ダイプレクサ３２６ｂと、第２のスイッチ３２８ｂと、７つの表面弾性波（ＳＡＷ：surface acoustic wave）フィルタ３３４ａ〜ｇと、第３のアンテナ３０７と、第４のアンテナ３０９と、トランシーバチップ３１０とを含み得る。
【００５０】
[0064]第１のアンテナ３０６は、第１のローパス・ハイパス・ダイプレクサ３２６ａに結合され得る。ローパス・ハイパス・ダイプレクサ３２６は、ローバンド周波数を１つの信号に、およびハイバンド（またはミッドバンド）周波数を別の信号に束ねる（bundle）ことができ、したがって第１のアンテナ３０６が、ローバンド信号とミッドバンド信号の両方をトランシーバチップ３１０に渡すことができるようにする。第１のローパス・ハイパス・ダイプレクサ３２６ａは、第１のスイッチ３２８ａに結合され得る。第１のスイッチ３２８ａは、２つの入力（束ねられたローバンド周波数を含む信号および束ねられたハイバンド周波数を含む信号）と複数の出力とを有し得る。一構成では、第１のスイッチ３２８ａは、４つのデュプレクサ３３０への６つの可能性のある出力を有し得る（デュプレクサ３３０ペアの６つの可能性のある構成を表す）。４つのデュプレクサ３３０は、第１のデュプレクサ３３０ａと、第２のデュプレクサ３３０ｂと、第３のデュプレクサ３３０ｃと、第４のデュプレクサ３３０ｄとを含み得る。一構成では、第１のデュプレクサ３３０ａおよび第２のデュプレクサ３３０ｂはローバンド用に使うことができ、一方第３のデュプレクサ３３０ｃおよび第４のデュプレクサ３３０ｄはミッドバンド用に使われる。
【００５１】
[0065]トランシーバチップ３１０は、送信機３３２とキャリアアグリゲーション受信機とを含み得る。キャリアアグリゲーション受信機は、第１の受信機（１Ｒｘ）３４０と、第２の受信機（２Ｒｘ）３４２と、第３の受信機（３Ｒｘ）３４４と、第４の受信機（４Ｒｘ）３４６とを含み得る。トランシーバチップ３１０は、第５の受信機（５Ｒｘ）３４７も含み得る。第５の受信機（５Ｒｘ）３４７は、２次信号２７８用の１次受信機であり得る。トランシーバチップ３１０は、第３のバンド２７６上で送信をするための第２の送信機（図示せず）を含み得ることに留意されたい。２次送信機は、以下で説明する送信機３３２または当技術分野において知られている他のタイプの送信機と同様に機能し得る。ただし、簡単のために、２次送信機は図３には示されていない。２次送信機は、Ｗｉ−Ｆｉ、Ｂｌｕｅｔｏｏｔｈまたは非セルラー技術における別のタイプに対応し得る。
【００５２】
[0066]送信機３３２は、４つの送信出力、すなわち第１の送信出力、第２の送信出力、第３の送信出力および第４の送信出力を含み得る。一構成では、第１の送信出力および第２の送信出力は第１のバンド出力であってよく、一方第３の送信出力および第４の送信出力は第２のバンド出力であってよい。別の構成では、第３の送信出力および／または第４の送信出力は第３のバンド出力であってよい。
【００５３】
[0067]第１の送信出力は、電力増幅器（ＰＡ）３３８ａを介して第１のデュプレクサ３３０ａに結合され得る。第２の送信出力は、電力増幅器３３８ｂを介して第２のデュプレクサ３３０ｂに結合され得る。第３の送信出力は、電力増幅器３３８ｃを介して第３のデュプレクサ３３０ｃに結合され得る。第４の送信出力は、電力増幅器３３８ｄを介して第４のデュプレクサ３３０ｄに結合され得る。
【００５４】
[0068]第１の受信機（１Ｒｘ）３４０は、第１のデュプレクサ３３０ａに結合された第１の１Ｒｘ低雑音増幅器（ＬＮＡ）３４８ａと、第２のデュプレクサ３３０ｂに結合された第２の１Ｒｘ低雑音増幅器（ＬＮＡ）３４８ｂと、第３のデュプレクサ３３０ｃに結合された第３の１Ｒｘ低雑音増幅器（ＬＮＡ）３４８ｃと、第４のデュプレクサ３３０ｄに結合された第４の１Ｒｘ低雑音増幅器（ＬＮＡ）３４８ｄとを含み得る。一構成では、第１の１Ｒｘ低雑音増幅器（ＬＮＡ）３４８ａおよび第２の１Ｒｘ低雑音増幅器（ＬＮＡ）３４８ｂはローバンド低雑音増幅器（ＬＮＡ）であってよく、一方第３の１Ｒｘ低雑音増幅器（ＬＮＡ）３４８ｃおよび第４の１Ｒｘ低雑音増幅器（ＬＮＡ）３４８ｄはミッドバンド低雑音増幅器（ＬＮＡ）である。
【００５５】
[0069]別の構成では、第１の１Ｒｘ低雑音増幅器（ＬＮＡ）３４８ａおよび第２の１Ｒｘ低雑音増幅器（ＬＮＡ）３４８ｂは第１のバンド２７０低雑音増幅器（ＬＮＡ）であってよく、一方第３の１Ｒｘ低雑音増幅器（ＬＮＡ）３４８ｃおよび第４の１Ｒｘ低雑音増幅器（ＬＮＡ）３４８ｄは第２のバンド２７２低雑音増幅器（ＬＮＡ）である。第１の５Ｒｘ低雑音増幅器（ＬＮＡ）３５５ａは第３のバンド２７６低雑音増幅器（ＬＮＡ）であってよい。
【００５６】
[0070]第１の受信機（１Ｒｘ）３４０は、ミキサ３５６ａ（たとえば、ダウンコンバータ）も含み得る。ミキサ３５６ａは、第１の１Ｒｘ低雑音増幅器（ＬＮＡ）３４８ａの出力、第２の１Ｒｘ低雑音増幅器（ＬＮＡ）３４８ｂの出力、第３の１Ｒｘ低雑音増幅器（ＬＮＡ）３４８ｃの出力および第４の１Ｒｘ低雑音増幅器（ＬＮＡ）３４８ｄの出力に結合され得る。
【００５７】
[0071]第１の受信機（１Ｒｘ）３４０は、ミキサ３５６ａ用のダウンコンバート周波数を生成するのに使われる、フェーズロックループ（ＰＬＬ）３６２ａと、１Ｒｘ電圧制御発振器（ＶＣＯ）３６０と、Ｄｉｖ段階３５８ａとを含み得る。ミキサ３５６ａの出力は、１Ｒｘベースバンドフィルタ（ＢＢＦ）３６４ａに結合され得る。１Ｒｘベースバンドフィルタ（ＢＢＦ）３６４ａは次いで、１Ｒｘ同相／直交位相（Ｉ／Ｑ）信号３１２を出力することができる。トランシーバチップ３１０は、１Ｒｘ電圧制御発振器（ＶＣＯ）３６０によって生成されたダウンコンバート周波数を、第２の受信機（２Ｒｘ）３４２中のミキサ３５６ｂ、第３の受信機（３Ｒｘ）３４４中のミキサ３５６ｃおよび／または第４の受信機（４Ｒｘ）３４６中のミキサ３５６ｄによって使われるようにするスイッチ３６６を含み得る。
【００５８】
[0072]第２のアンテナ３０８は、第２のローパス・ハイパス・ダイプレクサ３２６ｂに結合され得る。第２のローパス・ハイパス・ダイプレクサ３２６ｂは、第２のスイッチ３２８ｂに結合され得る。第２のスイッチ３２８ｂは、２つの入力（束ねられたローバンド周波数を含む信号および束ねられたハイバンド周波数を含む信号）と複数の出力とを有し得る。一構成では、第２のスイッチ３２８ｂは、４つの表面弾性波（ＳＡＷ）フィルタ３３４ａ〜ｄ（表面弾性波（ＳＡＷ）フィルタ３３４ａ〜ｄペアの６つの可能構成を表す）への６つの可能出力を有し得る。４つの表面弾性波（ＳＡＷ）フィルタ３３４ａ〜ｄは、第１の表面弾性波（ＳＡＷ）フィルタ３３４ａと、第２の表面弾性波（ＳＡＷ）フィルタ３３４ｂと、第３の表面弾性波（ＳＡＷ）フィルタ３３４ｃと、第４の表面弾性波（ＳＡＷ）フィルタ３３４ｄとを含み得る。
【００５９】
[0073]第２の受信機（２Ｒｘ）３４２は、第１の表面弾性波（ＳＡＷ）フィルタ３３４ａに結合された第１の２Ｒｘ低雑音増幅器（ＬＮＡ）３５０ａと、第２の表面弾性波（ＳＡＷ）フィルタ３３４ｂに結合された第２の２Ｒｘ低雑音増幅器（ＬＮＡ）３５０ｂと、第３の表面弾性波（ＳＡＷ）フィルタ３３４ｃに結合された第３の２Ｒｘ低雑音増幅器（ＬＮＡ）３５０ｃと、第４の表面弾性波（ＳＡＷ）フィルタ３３４ｄに結合された第４の２Ｒｘ低雑音増幅器（ＬＮＡ）３５０ｄとを含み得る。
【００６０】
[0074]第２の受信機（２Ｒｘ）３４２は、第１の２Ｒｘ低雑音増幅器（ＬＮＡ）３５０ａの出力、第２の２Ｒｘ低雑音増幅器（ＬＮＡ）３５０ｂの出力、第３の２Ｒｘ低雑音増幅器（ＬＮＡ）３５０ｃの出力および第４の２Ｒｘ低雑音増幅器（ＬＮＡ）３５０ｄの出力に結合されたミキサ３５６ｂを含み得る。第２の受信機（２Ｒｘ）３４２はまた、ミキサ３５６ｂ用のダウンコンバート周波数を生成するのに使われる、フェーズロックループ（ＰＬＬ）３６２ｂと、２Ｒｘ電圧制御発振器（ＶＣＯ）３６１と、Ｄｉｖ段階３５８ｂとを含み得る。一構成では、トランシーバチップ３１０上のスイッチ３６６は、Ｄｉｖ段階３５８ｂが、１Ｒｘ電圧制御発振器（ＶＣＯ）３６０によって生成されたダウンコンバート周波数を第１の受信機（１Ｒｘ）３４０から受信するように設定され得る。ミキサ３５６ｂの出力は、２Ｒｘベースバンドフィルタ（ＢＢＦ）３６４ｂに結合され得る。２Ｒｘベースバンドフィルタ（ＢＢＦ）３６４ｂは次いで、２Ｒｘ同相／直交位相（Ｉ／Ｑ）信号３１４を出力することができる。
【００６１】
[0075]スイッチ３６６は、２Ｒｘ電圧制御発振器（ＶＣＯ）３６１によって生成されたダウンコンバート周波数を、第３の受信機（３Ｒｘ）３４４中のミキサ３５６ｃおよび第４の受信機（４Ｒｘ）３４６中のミキサ３５６ｄによって使われるようにする。２Ｒｘ電圧制御発振器（ＶＣＯ）３６１は、非キャリアアグリゲーション、非同時ハイブリッドデュアル受信機（ＳＨＤＲ）モードで、第３の受信機（３Ｒｘ）３４４および／または第４の受信機（４Ｒｘ）３４６用に使われ得る。それ以外の場合、２Ｒｘ電圧制御発振器（ＶＣＯ）３６１はアイドルであり得る。
【００６２】
[0076]非キャリアアグリゲーション、非同時ハイブリッドデュアル受信機（ＳＨＤＲ）モードで使われるとき、２Ｒｘ電圧制御発振器（ＶＣＯ）３６１は、２次ダイバーシティを駆動するように、２次周波数に同調され得る。たとえば、２次周波数は、全地球測位システム（ＧＰＳ）用に使われる１．５ギガヘルツ（ＧＨｚ）前後のパーソナルデジタルセルラー（ＰＤＣ）バンドであり得る。したがって、この例では、２Ｒｘ電圧制御発振器（ＶＣＯ）３６１は、約１．５ＧＨｚに同調されてよく、第４の受信機（４Ｒｘ）３４６を駆動するのに使うことができる。その結果、第４の受信機（４Ｒｘ）３４６は、パーソナルデジタルセルラー（ＰＤＣ）バンドをサポートするのに再利用され得る。４Ｒｘ同相／直交位相（Ｉ／Ｑ）信号３１８および５Ｒｘ同相／直交位相（Ｉ／Ｑ）信号３１９は次いで、２次ダイバーシティのために合成され得る。言い換えると、第４の受信機（４Ｒｘ）３４６同相／直交位相（Ｉ／Ｑ）信号３１８は、第３のバンド２７６の多入力多出力（ＭＩＭＯ）能力を増し、かつ／または拡張するように、第５の受信機（５Ｒｘ）３４７同相／直交位相（Ｉ／Ｑ）信号３１９に加えられ得る。
【００６３】
[0077]別の例では、２次周波数は、Ｗｉ−Ｆｉおよび／またはＢｌｕｅｔｏｏｔｈ用に使われる２．４ギガヘルツ（ＧＨｚ）前後の無認可バンドであってよい。したがって、この例では、２Ｒｘ電圧制御発振器（ＶＣＯ）３６１は、約２．４ＧＨｚに同調されてよく、第４の受信機（４Ｒｘ）３４６を駆動するのに使うことができる。その結果、第４の受信機（４Ｒｘ）３４６は、２．４ＧＨｚ前後のＷｉ−Ｆｉおよび／またはＢｌｕｅｔｏｏｔｈをサポートするのに再利用され得る。いくつかの構成では、４Ｒｘ同相／直交位相（Ｉ／Ｑ）信号３１８および５Ｒｘ同相／直交位相（Ｉ／Ｑ）信号３１９は次いで、両方がＷｉ−Ｆｉダイバーシティを利用するなど、２次ダイバーシティのために合成され得る。４Ｒｘ同相／直交位相（Ｉ／Ｑ）信号３１８および５Ｒｘ同相／直交位相（Ｉ／Ｑ）信号３１９は各々、Ｗｉ−Ｆｉに対応する４Ｒｘ同相／直交位相（Ｉ／Ｑ）信号３１８、一方でＢｌｕｅｔｏｏｔｈに対応する５Ｒｘ同相／直交位相（Ｉ／Ｑ）信号３１９など、別個の非セルラー信号を利用することができる。
【００６４】
[0078]第３の受信機（３Ｒｘ）３４４は、第１の３Ｒｘ低雑音増幅器（ＬＮＡ）３５２ａと、第２の３Ｒｘ低雑音増幅器（ＬＮＡ）３５２ｂと、第３の３Ｒｘ低雑音増幅器（ＬＮＡ）３５２ｃと、第４の３Ｒｘ低雑音増幅器（ＬＮＡ）３５２ｄとを含み得る。第１の３Ｒｘ低雑音増幅器（ＬＮＡ）３５２ａ、第２の３Ｒｘ低雑音増幅器（ＬＮＡ）３５２ｂ、第３の３Ｒｘ低雑音増幅器（ＬＮＡ）３５２ｃおよび第４の３Ｒｘ低雑音増幅器（ＬＮＡ）３５２ｄへの入力は無効化され得る。
【００６５】
[0079]第３の受信機（３Ｒｘ）３４４は、第１の３Ｒｘ低雑音増幅器（ＬＮＡ）３５２ａ、第２の３Ｒｘ低雑音増幅器（ＬＮＡ）３５２ｂ、第３の３Ｒｘ低雑音増幅器（ＬＮＡ）３５２ｃおよび第４の３Ｒｘ低雑音増幅器（ＬＮＡ）３５２ｄの出力に結合されたミキサ３５６ｃを含み得る。第３の受信機（３Ｒｘ）３４４は、ミキサ３５６ｃに結合されたＤｉｖ段階３５８ｃも含み得る。Ｄｉｖ段階３５８ｃは、トランシーバチップ３１０上のスイッチ３６６に結合され得る。一構成では、スイッチ３６６は、Ｄｉｖ段階３５８ｃが、１Ｒｘ電圧制御発振器（ＶＣＯ）３６０によって生成されたダウンコンバート周波数を第１の受信機（１Ｒｘ）３４０から受信し得るように設定され得る。別の構成では、スイッチ３６６は、Ｄｉｖ段階３５８ｃが、２Ｒｘ電圧制御発振器（ＶＣＯ）３６１によって生成されたダウンコンバート周波数を受信するように設定され得る。非キャリアアグリゲーションモードおよび／または非同時ハイブリッドデュアル受信機（ＳＨＤＲ）モードなどのいくつかの構成では、第３の受信機（３Ｒｘ）３４４は、アイドルおよび未使用または２次ダイバーシティのために再利用されたままであり得る。ミキサ３５６ｃの出力は、３Ｒｘベースバンドフィルタ（ＢＢＦ）３６４ｃに結合され得る。３Ｒｘベースバンドフィルタ（ＢＢＦ）３６４ｃは次いで、３Ｒｘ同相／直交位相（Ｉ／Ｑ）信号３１６を出力することができる。
【００６６】
[0080]第４の受信機（４Ｒｘ）３４６は、第１の４Ｒｘ低雑音増幅器（ＬＮＡ）３５４ａと、第２の４Ｒｘ低雑音増幅器（ＬＮＡ）３５４ｂと、第３の４Ｒｘ低雑音増幅器（ＬＮＡ）３５４ｃと、第４の４Ｒｘ低雑音増幅器（ＬＮＡ）３５４ｄとを含み得る。第１の４Ｒｘ低雑音増幅器（ＬＮＡ）３５４ａ、第２の４Ｒｘ低雑音増幅器（ＬＮＡ）３５４ｂ、第３の４Ｒｘ低雑音増幅器（ＬＮＡ）３５４ｃおよび第４の４Ｒｘ低雑音増幅器（ＬＮＡ）３５４ｄへの入力は無効化され得る。いくつかの構成では、４Ｒｘ低雑音増幅器（ＬＮＡ）３５４のうちの１つまたは複数は、第３のアンテナ３０７に結合された第５の表面弾性波（ＳＡＷ）フィルタ３３４ｅから入力を受信することができる。たとえば、第３のアンテナ３０７は、第５の表面弾性波（ＳＡＷ）フィルタ３３４ｅを介して第３の４Ｒｘ低雑音増幅器（ＬＮＡ）３５４ｃに信号を与え得る。
【００６７】
[0081]第４の受信機（４Ｒｘ）３４６は、第１の４Ｒｘ低雑音増幅器（ＬＮＡ）３５４ａ、第２の４Ｒｘ低雑音増幅器（ＬＮＡ）３５４ｂ、第３の４Ｒｘ低雑音増幅器（ＬＮＡ）３５４ｃおよび第４の４Ｒｘ低雑音増幅器（ＬＮＡ）３５４ｄの出力に結合されたミキサ３５６ｄを含み得る。第４の受信機（４Ｒｘ）３４６は、ミキサ３５６ｄに結合されたＤｉｖ段階３５８ｄも含み得る。Ｄｉｖ段階３５８ｄは、トランシーバチップ３１０上のスイッチ３６６に結合され得る。一構成では、スイッチ３６６は、Ｄｉｖ段階３５８ｄが、１Ｒｘ電圧制御発振器（ＶＣＯ）３６０によって生成されたダウンコンバート周波数を第１の受信機（１Ｒｘ）３４０から受信し得るように設定され得る。非キャリアアグリゲーションモードおよび／または非同時ハイブリッドデュアル受信機（ＳＨＤＲ）モードなどの別の構成では、第４の受信機（４Ｒｘ）３４６は、アイドルおよび未使用のままであり得る。ミキサ３５６ｄの出力は、４Ｒｘベースバンドフィルタ（ＢＢＦ）３６４ｄに結合され得る。４Ｒｘベースバンドフィルタ（ＢＢＦ）３６４ｄは次いで、４Ｒｘ同相／直交位相（Ｉ／Ｑ）信号３１８を出力することができる。
【００６８】
[0082]一構成では、スイッチ３６６は、第４の受信機（４Ｒｘ）３４６のＤｉｖ段階３５８ｄが、２Ｒｘ電圧制御発振器（ＶＣＯ）３６１によって生成されたダウンコンバート周波数を第２の受信機（２Ｒｘ）３４２から受信するように設定され得る。たとえば、第２の受信機（２Ｒｘ）３４２にある２Ｒｘ電圧制御発振器（ＶＣＯ）３６１は、第４の受信機（４Ｒｘ）３４６向けの２次ダイバーシティを駆動するように、２次周波数に同調され得る。
【００６９】
[0083]第４のアンテナ３０９は、第６の表面弾性波（ＳＡＷ）フィルタ３３４ｆに結合され得る。第６の表面弾性波（ＳＡＷ）フィルタ３３４ｆは、第５の受信機（５Ｒｘ）３４７に結合され得る。第５の受信機（５Ｒｘ）３４７は、第１の５Ｒｘ低雑音増幅器（ＬＮＡ）３５５ａを含み得る。
【００７０】
[0084]第５の受信機（５Ｒｘ）３４４は、ミキサ３５６ｅ（たとえば、ダウンコンバータ）も含み得る。ミキサ３５６ｅは、第１の５Ｒｘ低雑音増幅器（ＬＮＡ）３５５ａの出力に結合され得る。
【００７１】
[0085]第５の受信機（５Ｒｘ）３４７は、ミキサ３５６ｅ用のダウンコンバート周波数を生成するのに使われる、フェーズロックループ（ＰＬＬ）３６２ｃと、５Ｒｘ電圧制御発振器（ＶＣＯ）３６３と、Ｄｉｖ段階３５８ｅとを含み得る。ミキサ３５６ｅの出力は、５Ｒｘベースバンドフィルタ（ＢＢＦ）３６４ｅに結合され得る。５Ｒｘベースバンドフィルタ（ＢＢＦ）３６４ｅは次いで、５Ｒｘ同相／直交位相（Ｉ／Ｑ）信号３１９を出力することができる。５Ｒｘ同相／直交位相（Ｉ／Ｑ）信号３１９は、全地球航法衛星システム（ＧＮＳＳ）、全地球測位システム（ＧＰＳ）またはＷｉ−Ｆｉ信号などの２次信号であり得る。
【００７２】
[0086]図４は、シングルチップキャリアアグリゲーション受信機アーキテクチャ１２５を使って信号を受信するための方法４００の流れ図である。方法４００はワイヤレス通信デバイス１０４によって実施され得る。ワイヤレス通信デバイス１０４は、４０２で、第３のアンテナ１０７を使って第１の２次信号を受信することができる。ワイヤレス通信デバイス１０４は、４０４で、４Ｒｘ同相／直交位相（Ｉ／Ｑ）信号１１８を取得するために、トランシーバチップ１１０上の第４の受信機（４Ｒｘ）１４６を通して第１の２次信号をルーティングすることができる。
【００７３】
[0087]ワイヤレス通信デバイス１０４は、４０６で、第４のアンテナ１０９を使って第２の２次信号を受信することもできる。ワイヤレス通信デバイス１０４は、４０８で、５Ｒｘ同相／直交位相（Ｉ／Ｑ）信号１１９を取得するために、トランシーバチップ１１０上の第５の受信機（５Ｒｘ）１４７を通して第２の２次信号をルーティングすることができる。第１の２次信号および第２の２次信号は、同じバンド（たとえば、第３のバンド２７６）からのものであり得る。たとえば、第３のバンド２７６は、全地球航法衛星システム（ＧＮＳＳ）バンド、全地球測位システム（ＧＰＳ）バンド、Ｗｉ−Ｆｉバンドまたは他の何らかのタイプのバンドであってよい。
【００７４】
[0088]図５は、ダイバーシティモードで動作するシングルチップキャリアアグリゲーション受信機アーキテクチャ３２５を示すブロック図である。図５のシングルチップキャリアアグリゲーション受信機アーキテクチャ３２５は、図３のシングルチップキャリアアグリゲーション受信機アーキテクチャ３２５であり得る。
【００７５】
[0089]１Ｒｘ同相／直交位相（Ｉ／Ｑ）信号３１４を取得するための、第１の受信機（１Ｒｘ）３４０を通る、第１のアンテナ３０６からのルーティング５３７が示されている。ルーティング５３７は、第１の１Ｒｘ低雑音増幅器（ＬＮＡ）３４８ａを通過し得る。１Ｒｘ同相／直交位相（Ｉ／Ｑ）信号３１４は、この構成のために、第１のバンド２７０からの第１のキャリア２７４ａと第２のキャリア２７４ｂとを含み得る。ルーティング５３７は、ミキサ３５６ｂを通過し得る。ミキサ３５６ｂは、Ｄｉｖ段階３５８ｂから入力を受信し得る。トランシーバチップ３１０上のスイッチ３６６は、Ｄｉｖ段階３５８ｂが、１Ｒｘ電圧制御発振器（ＶＣＯ）３６１によって生成されたダウンコンバート周波数を第１の受信機（１Ｒｘ）３４０から受信するように設定され得る。このようにして、第２の受信機（２Ｒｘ）３４２にある２Ｒｘ電圧制御発振器（ＶＣＯ）３６１は、第３の受信機（３Ｒｘ）３４４および／または第４の受信機（４Ｒｘ）３４６と一緒に使われ得る。
【００７６】
[0090]２Ｒｘ同相／直交位相（Ｉ／Ｑ）信号３１６を取得するための、第２の受信機（２Ｒｘ）３４２を通る、第２のアンテナ３０８からのルーティング５３９も示されている。ルーティング５３９は、第１の２Ｒｘ低雑音増幅器（ＬＮＡ）３５０ａを通過し得る。２Ｒｘ同相／直交位相（Ｉ／Ｑ）信号３１４は、この構成のために、第１のバンド２７０からの第１のキャリア２７４ａと第２のキャリア２７４ｂとを含み得る。
【００７７】
[0091]同時ハイブリッドデュアル受信機（ＳＨＤＲ）受信機パスがトランシーバチップ３１０によって利用されないときなど、いくつかの構成である、第３の受信機（３Ｒｘ）３４４および／または第４の受信機（４Ｒｘ）３４６は、２次ダイバーシティのために再利用され得る。たとえば、第４の受信機（４Ｒｘ）３４６はキャリアアグリゲーション受信機であり得る。キャリアアグリゲーションに使われないとき、第４の受信機（４Ｒｘ）３４６は２次ダイバーシティのために再利用されてよい。
【００７８】
[0092]４Ｒｘ同相／直交位相（Ｉ／Ｑ）信号３１８を取得するための、第４の受信機（４Ｒｘ）３４６を通る、第３のアンテナ３０７からのルーティング５４１も示されている。ルーティング５４１は、第１の２次ルーティングと呼ばれ得る。たとえば、第１の２次ルーティングは、全地球測位システム（ＧＰＳ）またはＷｉ−Ｆｉ信号などの非セルラー信号に対応し得る。ルーティング５４１は、第３の４Ｒｘ低雑音増幅器（ＬＮＡ）３５４ｃを通過し得る。いくつかの構成では、追加相互コンダクタンス段階（Ｇｍ）が、２次ダイバーシティをサポートするため、および追加スイッチを避けるために第４の受信機（４Ｒｘ）３４６パスに追加され得る。
【００７９】
[0093]ルーティング５４１は、ミキサ３５６ｄを通り得る。ミキサ３５６ｄは、Ｄｉｖ段階３５８ｄから入力を受信し得る。トランシーバチップ３１０上のスイッチ３６６は、Ｄｉｖ段階３５８ｄが、２Ｒｘ電圧制御発振器（ＶＣＯ）３６１によって生成されたダウンコンバート周波数を第２の受信機（２Ｒｘ）３４２から受信するように設定され得る。言い換えると、第２の受信機（２Ｒｘ）３４２からの２Ｒｘ電圧制御発振器（ＶＣＯ）３６１は、使われる、ドライブ、第２の受信機（２Ｒｘ）３４２のＤｉｖ段階３５８ｂおよびミキサ３５８ｂよりもむしろ、第４の受信機（４Ｒｘ）３４６のＤｉｖ段階３５８ｄおよびミキサ３５８ｄを駆動するのに使われるである。ミキサ３５６ｄの出力は、４Ｒｘ同相／直交位相（Ｉ／Ｑ）信号３１８を形成するように、４Ｒｘベースバンドフィルタ（ＢＢＦ）３６４ｄを通過し得る。４Ｒｘ同相／直交位相（Ｉ／Ｑ）信号３１８は、第３のバンド２７６からの２次信号２７８を含み得る。
【００８０】
[0094]５Ｒｘ同相／直交位相（Ｉ／Ｑ）信号３１９を取得するための、第５の受信機（５Ｒｘ）３４７を通る、第４のアンテナ３０９からのルーティング５４３も示されている。ルーティング５４３は、第２の２次ルーティングと呼ばれ得る。たとえば、第２の２次ルーティングは、全地球測位システム（ＧＰＳ）またはＷｉ−Ｆｉ信号などの非セルラー信号に対応し得る。第２の２次ルーティングは、第１の２次ルーティングと同じ非セルラー（すなわち２次）技術に対応し得る。たとえば、第１の２次ルーティングと第２の２次ルーティングの両方が、全地球測位システム（ＧＰＳ）信号に対応し得る。別の例では、第１の２次ルーティングは全地球測位システム（ＧＰＳ）信号に対応してよく、一方第２の２次ルーティングがＷｉ−Ｆｉ信号に対応してよい。このように、シングルチップキャリアアグリゲーション受信機アーキテクチャ１２５は、キャリアアグリゲーションモードがアイドルであるとき、１つまたは複数の２次信号２７８を利用するのに使われ得る。さらに、トランシーバチップ３１０上の複数の受信機が２次信号２７８を処理しているとき、２次ダイバーシティが達成され得る。
【００８１】
[0095]ルーティング５４３は、第６の表面弾性波（ＳＡＷ）フィルタ３３４ｆと第１の５Ｒｘ低雑音増幅器（ＬＮＡ）３５５ａとを通り得る。５Ｒｘ同相／直交位相（Ｉ／Ｑ）信号３１９は、第３のバンド２７６からの２次信号２７８を含み得る。
【００８２】
[0096]いくつかの構成では、第４の受信機（４Ｒｘ）３４６を通るルーティング５４１は、第２の受信機（２Ｒｘ）３４２からの２Ｒｘ電圧制御発振器（ＶＣＯ）３６１によって駆動することができ、第５の受信機（５Ｒｘ）３４７を通るルーティング５４３は、第５の受信機（５Ｒｘ）３４７からの５Ｒｘ電圧制御発振器（ＶＣＯ）３６３によって駆動することができる。２Ｒｘ電圧制御発振器（ＶＣＯ）３６１と５Ｒｘ電圧制御発振器（ＶＣＯ）３６３の両方が、２次周波数に同調され得る。いくつかの事例では、２Ｒｘ電圧制御発振器（ＶＣＯ）３６１および５Ｒｘ電圧制御発振器（ＶＣＯ）３６３は、同じ周波数に同調されると、互いと干渉し得る。たとえば、電圧制御発振器（ＶＣＯ）は、所望の周波数から互いを引き離し得る。
【００８３】
[0097]２次ダイバーシティモードで稼働しているとき、キャリアアグリゲーション受信機３Ｒｘ３４４および／または４Ｒｘ３４６は、２次ダイバーシティのために使われることが可能でない場合がある。同様に、トランシーバチップ２１０が２次ダイバーシティモードで稼働しているとき、トランシーバチップ２１０は、同時ハイブリッドデュアル受信機（ＳＨＤＲ）で同時に稼働することが可能でない場合がある。言い換えると、いくつかの構成では、２次ダイバーシティモードで動作することは、同時ハイブリッドデュアル受信機（ＳＨＤＲ）モードおよび／またはキャリアアグリゲーションモードで動作することからは相互に排他的であり得る。
【００８４】
[0098]図６は、２次ダイバーシティを達成するのにキャリアアグリゲーション受信機を再利用するシングルチップキャリアアグリゲーション受信機アーキテクチャ３２５を示すブロック図である。図６のシングルチップキャリアアグリゲーション受信機アーキテクチャ３２５は、図３のシングルチップキャリアアグリゲーション受信機アーキテクチャ３２５であり得る。簡単のために、図６は、トランシーバチップ３１０の第３のアンテナ３０７と、第４のアンテナ３０９と、第４の受信機（４Ｒｘ）３４６と、第５の受信機（５Ｒｘ）３４７とを示すだけである。ただし、図６のトランシーバチップ３１０は、図３のトランシーバチップ３１０に関連して示し、記載した他の構成要素の一部または全部を含み得ることを諒解されたい。
【００８５】
[0099]いくつかの構成では、キャリアアグリゲーションモードでないとき、第４の受信機（４Ｒｘ）３４６はアイドルであり得る。言い換えると、第４の受信機（４Ｒｘ）３４６は、キャリアアグリゲーションのために使われていない。同様に、第４の受信機（４Ｒｘ）３４６は、トランシーバチップ３１０が同時ハイブリッドデュアル受信機（ＳＨＤＲ）モードでないとき、アイドルであり得る。これらの事例において、第４の受信機（４Ｒｘ）３４６は２次ダイバーシティのために再利用され得る。このようにして、第４の受信機（４Ｒｘ）３４６は、２次ダイバーシティを達成するために、キャリアアグリゲーションパスにあるフロントエンドと、ミキサ３５６ｄと、分割器３５８ｄと、４Ｒｘベースバンドフィルタ（ＢＢＦ）３６４ｄとを共有することができる。
【００８６】
[00100]第３のアンテナ３０７および第４のアンテナ３０９は、２次信号２７８を受信し得る。たとえば、信号は、全地球航法衛星システム（ＧＮＳＳ）、全地球測位システム（ＧＰＳ）、Ｗｉ−ＦｉまたはＢｌｕｅｔｏｏｔｈ信号であり得る。たとえば、２次信号２７８は、パーソナルデジタルセルラー（ＰＤＣ）バンド上で受信される全地球測位システム（ＧＰＳ）信号であり得る。別の事例において、２次信号２７８は、２．４ギガヘルツ（ＧＨｚ）バンド上で受信されるＷｉ−ＦｉまたはＢｌｕｅｔｏｏｔｈ信号であり得る。
【００８７】
[00101]４Ｒｘ同相／直交位相（Ｉ／Ｑ）信号３１８を取得するための、第４の受信機（４Ｒｘ）３４６を通る、第３のアンテナ３０７からのルーティング６４５が示されている。ルーティング６４５は、第１の２次ルーティングと呼ばれ得る。ルーティング６４５は、第５の表面弾性波（ＳＡＷ）フィルタ３３４ｅと第３の４Ｒｘ低雑音増幅器（ＬＮＡ）３５４ｃとを通り得る。ルーティング６４５は、ミキサ３５６ｄを通り得る。ミキサ３５６ｄは、Ｄｉｖ段階３５８ｄから入力を受信し得る。Ｄｉｖ段階３５８ｄは、第５の受信機（５Ｒｘ）３４７の５Ｒｘ電圧制御発振器（ＶＣＯ）３６３によって生成されたダウンコンバート周波数を受信し得る。ルーティング６４５は、４Ｒｘ同相／直交位相（Ｉ／Ｑ）信号３１８を形成するように、４Ｒｘベースバンドフィルタ（ＢＢＦ）３６４ｄを通り得る。４Ｒｘ同相／直交位相（Ｉ／Ｑ）信号３１８は、第３のバンド２７６からの２次信号２７８を含み得る。
【００８８】
[00102]５Ｒｘ同相／直交位相（Ｉ／Ｑ）信号３１９を取得するための、第５の受信機（５Ｒｘ）３４７を通る、第４のアンテナ３０９からのルーティング６４３も示されている。５Ｒｘ同相／直交位相（Ｉ／Ｑ）信号３１９は、第３のバンド２７６からの２次信号２７８を含み得る。
【００８９】
[00103]ルーティング６４３は、第２の２次ルーティングと呼ばれ得る。ルーティング６４３は、第６の表面弾性波（ＳＡＷ）フィルタ３３４ｆと第１の５Ｒｘ低雑音増幅器（ＬＮＡ）３５５ａとを通り得る。いくつかの実施形態では、図６に示すように、ルーティング６４３は、第７の表面弾性波（ＳＡＷ）フィルタ６３４ｇと第２の５Ｒｘ低雑音増幅器（ＬＮＡ）６５５ｂとを通り得る。第７の表面弾性波（ＳＡＷ）フィルタ６３４ｇおよび第２の５Ｒｘ低雑音増幅器（ＬＮＡ）６５５ｂは、より高い信号性能をもたらし得る追加信号フィルタリングを行うことができる。
【００９０】
[00104]第４の受信機（４Ｒｘ）３４６と第５の受信機（５Ｒｘ）３４７の両方が、同じシンセサイザ（たとえば、第５の受信機（５Ｒｘ）３４７からの５Ｒｘ電圧制御発振器（ＶＣＯ）３６３およびフェーズロックループ（ＰＬＬ）３６２ｃ）によって駆動され得る。このように、複数のシンセサイザは競合しておらず、互いに反対方向に引くこと（pulling against each other）は、周波数がずれる（stray）、または他のエラーを引き起こす。
【００９１】
[00105]図７は、２次ダイバーシティを達成するのに、キャリアアグリゲーション受信機の受信機フロントエンドとベースバンドフィルタ（ＢＢＦ）とを再利用するシングルチップキャリアアグリゲーション受信機アーキテクチャ３２５を示すブロック図である。図７のシングルチップキャリアアグリゲーション受信機アーキテクチャ３２５は、図３のシングルチップキャリアアグリゲーション受信機アーキテクチャ３２５であり得る。簡単のために、図７は、トランシーバチップ３１０の第３のアンテナ３０７と、第４のアンテナ３０９と、第４の受信機（４Ｒｘ）３４６と、第５の受信機（５Ｒｘ）３４７とを示すだけである。ただし、図７のトランシーバチップ３１０は、図３のトランシーバチップ３１０に関連して示し、記載した他の構成要素の一部または全部を含み得ることを諒解されたい。
【００９２】
[00106]第３のアンテナ３０７および第４のアンテナ３０９は、２次信号２７８を受信し得る。たとえば、信号は、全地球航法衛星システム（ＧＮＳＳ）、全地球測位システム（ＧＰＳ）またはＷｉ−Ｆｉ信号であり得る。いくつかの構成では、第４の受信機（４Ｒｘ）３４６は、２次ダイバーシティを達成するために、キャリアアグリゲーションパスからの低雑音増幅器（ＬＮＡ）３５４と４Ｒｘベースバンドフィルタ（ＢＢＦ）３６４ｄとを共有し得る。
【００９３】
[00107]図７の第４の受信機（４Ｒｘ）３４６は、図３の第４の受信機（４Ｒｘ）３４６には含まれていなかったミキサ７５６ｆとＤｉｖ段階７５８ｆとを含み得る。
【００９４】
[00108]４Ｒｘ同相／直交位相（Ｉ／Ｑ）信号３１８を取得するための、第４の受信機（４Ｒｘ）３４６を通る、第３のアンテナ３０７からのルーティング７４９が示されている。ルーティング７４９は、第１の２次ルーティングと呼ばれ得る。ルーティング７４９は、第５の表面弾性波（ＳＡＷ）フィルタ３３４ｅと第３の４Ｒｘ低雑音増幅器（ＬＮＡ）３５４ｃとを通り得る。ルーティング７４９は、ミキサ７５６ｆを通り得る。ミキサ７５６ｆは、Ｄｉｖ段階７５８ｆから入力を受信し得る。ミキサ７５６ｆ（たとえば、ダウンコンバータ）およびＤｉｖ段階７５８ｆは、第４の受信機（４Ｒｘ）３４６中の、キャリアアグリゲーションのために使われるミキサ３５６ｄおよびＤｉｖ段階３５８ｄとは別個であり得る。このようにして、ミキサ７５６ｆを駆動するのに必要な電力を低減することによって、電力消費が低減され得る。
【００９５】
[00109]Ｄｉｖ段階７５８ｆは、第５の受信機（５Ｒｘ）３４７の５Ｒｘ電圧制御発振器（ＶＣＯ）３６３によって生成されたダウンコンバート周波数を受信し得る。ルーティング７４９は、４Ｒｘ同相／直交位相（Ｉ／Ｑ）信号３１８を形成するように、４Ｒｘベースバンドフィルタ（ＢＢＦ）３６４ｄを通り得る。４Ｒｘ同相／直交位相（Ｉ／Ｑ）信号３１８は、第３のバンド２７６からの２次信号２７８を含み得る。
【００９６】
[00110]５Ｒｘ同相／直交位相（Ｉ／Ｑ）信号３１９を取得するための、第５の受信機（５Ｒｘ）３４７を通る、第４のアンテナ３０９からのルーティング７４３も示されている。５Ｒｘ同相／直交位相（Ｉ／Ｑ）信号３１９は、第３のバンド２７６からの２次信号２８４ｂを含み得る。
【００９７】
[00111]ルーティング７４３は、第２の２次ルーティングと呼ばれ得る。ルーティング７４３は、第６の表面弾性波（ＳＡＷ）フィルタ３３４ｆと第１の５Ｒｘ低雑音増幅器（ＬＮＡ）３５５ａとを通り得る。
【００９８】
[00112]図８は、２次ダイバーシティを達成するのに、キャリアアグリゲーション受信機のベースバンドフィルタ（ＢＢＦ）を再利用するシングルチップキャリアアグリゲーション受信機アーキテクチャ３２５を示す別のブロック図である。図６および図７と同様、図８は、トランシーバチップ３１０の第３のアンテナ３０７、第４のアンテナ３０９、第４の受信機（４Ｒｘ）３４６および第５の受信機（５Ｒｘ）３４７のみを示す。ただし、図８のトランシーバチップ３１０は、図３のトランシーバチップ３１０に関連して示し、記載した他の構成要素の一部または全部を含み得ることを諒解されたい。
【００９９】
[00113]第３のアンテナ３０７および第４のアンテナ３０９は、２次信号２７８を受信し得る。たとえば、２次信号２７８は、全地球航法衛星システム（ＧＮＳＳ）、全地球測位システム（ＧＰＳ）またはＷｉ−Ｆｉ信号であり得る。一構成では、２次信号２７８は、パーソナルデジタルセルラー（ＰＤＣ）バンド上で受信される全地球測位システム（ＧＰＳ）信号であり得る。
【０１００】
[00114]５Ｒｘ同相／直交位相（Ｉ／Ｑ）信号３１９を取得するための、第５の受信機（５Ｒｘ）３４６を通る、第３のアンテナ３０７からのルーティング８５３が示されている。ルーティング８５３は、第１の２次ルーティングと呼ばれ得る。ルーティング８５３は、第５の表面弾性波（ＳＡＷ）フィルタ３３４ｅと第１の５Ｒｘ低雑音増幅器（ＬＮＡ）３５５ａとを通り得る。ルーティング８５３は、ミキサ８５６ｆを通り得る。ミキサ８５６ｆは、Ｄｉｖ段階８５８ｆから入力を受信し得る。ミキサ８５６ｆ（たとえば、ダウンコンバータ）およびＤｉｖ段階８５８ｆは、第５の受信機（５Ｒｘ）３４７中で使われるミキサ３５６ｅおよびＤｉｖ段階３５８ｅとは別個であり得る。
【０１０１】
[00115]Ｄｉｖ段階８５８ｆは、第５の受信機（５Ｒｘ）３４７からの５Ｒｘ電圧制御発振器（ＶＣＯ）３６３によって生成されたダウンコンバート周波数を受信し得る。ルーティング８５３は、５Ｒｘ同相／直交位相（Ｉ／Ｑ）信号３１９を形成するように、５Ｒｘベースバンドフィルタ（ＢＢＦ）３６４ｅも通り得る。５Ｒｘ同相／直交位相（Ｉ／Ｑ）信号３１９は、第３のバンド２７６からの２次信号２７８を含み得る。このようにして、第４の受信機（４Ｒｘ）３４６は、２次ダイバーシティを達成するために、キャリアアグリゲーションパスからの４Ｒｘベースバンドフィルタ（ＢＢＦ）３６４ｄを共有することができる。
【０１０２】
[00116]４Ｒｘ同相／直交位相（Ｉ／Ｑ）信号３１８を取得するための、第５の受信機（５Ｒｘ）３４７を通る、第４のアンテナ３０９からのルーティング８５１も示されている。ルーティング８５１は、第２の２次ルーティングと呼ばれ得る。ルーティング８５１は、第６の表面弾性波（ＳＡＷ）フィルタ３３４ｆと第１の５Ｒｘ低雑音増幅器（ＬＮＡ）３５５ａとを通り得る。ルーティング８５１は次いで、４Ｒｘ同相／直交位相（Ｉ／Ｑ）信号３１８を形成するように、４Ｒｘベースバンドフィルタ（ＢＢＦ）３６４ｄを通り得る。このようにして、第４の受信機（４Ｒｘ）３４６の４Ｒｘベースバンドフィルタ（ＢＢＦ）３６４ｄは、２次ダイバーシティのために再利用される。４Ｒｘ同相／直交位相（Ｉ／Ｑ）信号３１８は、第３のバンド２７６からの２次信号２７８を含み得る。
【０１０３】
[00117]図９は、２次（たとえば、全地球航法衛星システム（ＧＮＳＳ））ダイバーシティのために使われるベースバンドデジタルモデム９２２の一構成を示すブロック図である。ベースバンドデジタルモデム９２２は、トランシーバチップ３１０の一部であっても、トランシーバチップ３１０とは別個の構成要素であってもよい。ベースバンドデジタルモデム９２２は、図１のベースバンドデジタルモデム１２２に関連して記載したベースバンドデジタルモデムの一構成であってもよい。
【０１０４】
[00118]ベースバンドデジタルモデム９２２は、第１の全地球航法衛星システム（ＧＮＳＳ）アナログデジタルコンバータ（ＡＤＣ）９５５ａと、第１のベースバンドプロセッサ９５７ａと、全地球航法衛星システム（ＧＮＳＳ）コントローラ９５９と、第２の全地球航法衛星システム（ＧＮＳＳ）アナログデジタルコンバータ（ＡＤＣ）９５５ｂと、第２のベースバンドプロセッサ９５７ｂと、ワイヤレスワイドエリアネットワーク（ＷＷＡＮ）アナログデジタルコンバータ（ＡＤＣ）９６９と、ワイヤレスワイドエリアネットワーク（ＷＷＡＮ）デジタルフロントエンド（ＤＦＥ）９７１と、ワイヤレスワイドエリアネットワーク（ＷＷＡＮ）サンプルメモリ９７３とを含み得る。ベースバンドデジタルモデム９２２は、４Ｒｘ同相／直交位相（Ｉ／Ｑ）信号９１８と５Ｒｘ同相／直交位相（Ｉ／Ｑ）信号９１９とを受信することができる。全地球航法衛星システム（ＧＮＳＳ）コントローラ９５９は、ワイヤレス通信デバイス１０４のより正確な決定を取得するのに、複数のデジタル信号を利用することができる。
【０１０５】
[00119]第１の全地球航法衛星システム（ＧＮＳＳ）アナログデジタルコンバータ（ＡＤＣ）９５５ａは、４Ｒｘ  Ｉ／Ｑ信号９１８を受信し得る。第１の全地球航法衛星システム（ＧＮＳＳ）アナログデジタルコンバータ（ＡＤＣ）９５５ａは、４Ｒｘ同相／直交位相（Ｉ／Ｑ）信号９１８を、アナログ信号からデジタル信号に変換することができる。デジタル信号は、第１のベースバンドプロセッサ９５７ａを通過し、全地球航法衛星システム（ＧＮＳＳ）コントローラ９５９に入り得る。全地球航法衛星システム（ＧＮＳＳ）は、全地球測位システム（ＧＰＳ）、衛星ベースオーグメンテーションシステム（ＳＢＡＳ）および／またはグラウンドベースオーグメンテーションシステム（ＧＢＡＳ）を含み得る。全地球航法衛星システム（ＧＮＳＳ）コントローラ９５９は、デジタル信号に基づいて、ワイヤレス通信デバイス１０４の場所を決定することができる。
【０１０６】
[00120]５Ｒｘ同相／直交位相（Ｉ／Ｑ）信号９１９は、デジタル信号を取得するために、第２の全地球航法衛星システム（ＧＮＳＳ）アナログデジタルコンバータ（ＡＤＣ）９５５ｂを通され得る。デジタル信号は、全地球航法衛星システム（ＧＮＳＳ）コントローラ９５９に入力される前に、第２のベースバンドプロセッサ９５７ｂを通され得る。複数の２次信号（たとえば、全地球測位システム（ＧＰＳ）信号）を取得することによって、全地球航法衛星システム（ＧＮＳＳ）コントローラ９５９は、正確さが向上し得る。
【０１０７】
[00121]５Ｒｘ同相／直交位相（Ｉ／Ｑ）信号９１９は、ワイヤレスワイドエリアネットワーク（ＷＷＡＮ）アナログデジタルコンバータ（ＡＤＣ）９６９にも与えられ得る。ワイヤレスワイドエリアネットワーク（ＷＷＡＮ）アナログデジタルコンバータ（ＡＤＣ）９６９の出力は、ワイヤレスワイドエリアネットワーク（ＷＷＡＮ）デジタルフロントエンド（ＤＦＥ）９７１を通され、ワイヤレスワイドエリアネットワーク（ＷＷＡＮ）サンプルメモリ９７３に記憶され得る。第２の全地球航法衛星システム（ＧＮＳＳ）アナログデジタルコンバータ（ＡＤＣ）９５５ｂおよびワイヤレスワイドエリアネットワーク（ＷＷＡＮ）アナログデジタルコンバータ（ＡＤＣ）９６９は、５Ｒｘ同相／直交位相（Ｉ／Ｑ）信号９１９についてのピンを共有し得る。
【０１０８】
[00122]いくつかの構成では、第２の全地球航法衛星システム（ＧＮＳＳ）アナログデジタルコンバータ（ＡＤＣ）９５５ｂが、知られているベースバンドデジタルモデム構成に追加され得る。この構成において、第２のベースバンドプロセッサ９５７ｂは、ベースバンドデジタルモデム９２２上にすでに存在してよく、第２の全地球航法衛星システム（ＧＮＳＳ）アナログデジタルコンバータ（ＡＤＣ）９５５ｂからのデジタル出力を処理するのに再利用することができる。第２の全地球航法衛星システム（ＧＮＳＳ）アナログデジタルコンバータ（ＡＤＣ）９５５ｂの追加は、ベースバンドデジタルモデム９２２におけるダイサイズの軽微な増加（たとえば、２８ナノメートル（ｎｍ））を要求する場合があり、第２の全地球航法衛星システム（ＧＮＳＳ）アナログデジタルコンバータ（ＡＤＣ）９５５ｂは、非地上信号に限られ得る。ただし、電力消費は、２次ダイバーシティを取得するための知られている手法と比較して、ベースバンドデジタルモデム９２２を使って２次ダイバーシティを取得する際に低減され得る。
【０１０９】
[00123]図１０は、２次（たとえば、全地球航法衛星システム（ＧＮＳＳ））ダイバーシティのために使われるベースバンドデジタルモデム１０２２の別の構成を示すブロック図である。ベースバンドデジタルモデム１０２２は、図１に関連して記載したベースバンドデジタルモデム１１２の一構成であり得る。ベースバンドデジタルモデム１０２２は、全地球航法衛星システム（ＧＮＳＳ）アナログデジタルコンバータ（ＡＤＣ）１０５５と、第１のベースバンドプロセッサ１０５７ａと、全地球航法衛星システム（ＧＮＳＳ）コントローラ１０５９と、第２のベースバンドプロセッサ１０５７ｂと、ワイヤレスワイドエリアネットワーク（ＷＷＡＮ）アナログデジタルコンバータ（ＡＤＣ）１０６９と、ワイヤレスワイドエリアネットワーク（ＷＷＡＮ）デジタルフロントエンド（ＤＦＥ）１０７１と、ワイヤレスワイドエリアネットワーク（ＷＷＡＮ）サンプルメモリ１０７３と、を含み得る。ベースバンドデジタルモデム１０２２は、４Ｒｘ同相／直交位相（Ｉ／Ｑ）信号１０１８と５Ｒｘ同相／直交位相（Ｉ／Ｑ）信号１０１７とを受信することができる。
【０１１０】
[00124]第１の全地球航法衛星システム（ＧＮＳＳ）アナログデジタルコンバータ（ＡＤＣ）１０５５は、４Ｒｘ同相／直交位相（Ｉ／Ｑ）信号１０１８をデジタル信号に変換することができる。デジタル信号は、第１のベースバンドプロセッサ１０５７ａを通って全地球航法衛星システム（ＧＮＳＳ）コントローラ１０５９に渡され得る。
【０１１１】
[00125]ワイヤレスワイドエリアネットワーク（ＷＷＡＮ）アナログデジタルコンバータ（ＡＤＣ）１０６９は、５Ｒｘ同相／直交位相（Ｉ／Ｑ）信号１０１７をデジタル信号に変換することができる。ワイヤレスワイドエリアネットワーク（ＷＷＡＮ）アナログデジタルコンバータ（ＡＤＣ）１０６９は、全地球航法衛星システム（ＧＮＳＳ）アナログデジタルコンバータ（ＡＤＣ）１０５５と同じクロックを使うことができ、またはワイヤレスワイドエリアネットワーク（ＷＷＡＮ）アナログデジタルコンバータ（ＡＤＣ）１０６９は、標準ワイヤレスワイドエリアネットワーク（ＷＷＡＮ）アナログデジタルコンバータ（ＡＤＣ）クロックを使うことができる。
【０１１２】
[00126]ワイヤレスワイドエリアネットワーク（ＷＷＡＮ）アナログデジタルコンバータ（ＡＤＣ）１０６９の出力は、ワイヤレスワイドエリアネットワーク（ＷＷＡＮ）デジタルフロントエンド（ＤＦＥ）１０７１を通され、ワイヤレスワイドエリアネットワーク（ＷＷＡＮ）サンプルメモリ１０７３に記憶され得る。ワイヤレスワイドエリアネットワーク（ＷＷＡＮ）アナログデジタルコンバータ（ＡＤＣ）１０６９の出力はまた、第２のベースバンドプロセッサ１０５７ｂを通され、全地球航法衛星システム（ＧＮＳＳ）コントローラ１０５９に与えられ得る。
【０１１３】
[00127]この構成において、知られているベースバンドデジタルモデム構成と比較して、追加構成要素が要求されないので、ダイサイズは同じままであり得る。ただし、この構成において、ワイヤレスワイドエリアネットワーク（ＷＷＡＮ）アナログデジタルコンバータ（ＡＤＣ）１０６９は、図９に関連して記載した第２の全地球航法衛星システム（ＧＮＳＳ）アナログデジタルコンバータ（ＡＤＣ）９５５ｂよりも多くの電力を消費し得る。
【０１１４】
[00128]図１１は、２次（たとえば、全地球航法衛星システム（ＧＮＳＳ））ダイバーシティのために使われるベースバンドデジタルモデム１１２２のさらに別の構成を示すブロック図である。ベースバンドデジタルモデム１１２２は、図１に関連して記載したベースバンドデジタルモデム１２２の一構成であり得る。ベースバンドデジタルモデム１１２２は、全地球航法衛星システム（ＧＮＳＳ）アナログデジタルコンバータ（ＡＤＣ）１１５５と、第１のベースバンドプロセッサ１１５７ａと、全地球航法衛星システム（ＧＮＳＳ）コントローラ１１５９と、第２のベースバンドプロセッサ１１５７ｂと、ワイヤレスワイドエリアネットワーク（ＷＷＡＮ）アナログデジタルコンバータ（ＡＤＣ）１１６９と、ワイヤレスワイドエリアネットワーク（ＷＷＡＮ）デジタルフロントエンド（ＤＦＥ）１１７１と、ワイヤレスワイドエリアネットワーク（ＷＷＡＮ）サンプルメモリ１１７３と、を含み得る。ベースバンドデジタルモデム１１２２は、４Ｒｘ同相／直交位相（Ｉ／Ｑ）信号１１１８および５Ｒｘ同相／直交位相（Ｉ／Ｑ）信号１１１７からの入力も受信することができる。
【０１１５】
[00129]第１の全地球航法衛星システム（ＧＮＳＳ）アナログデジタルコンバータ（ＡＤＣ）１１５５は、４Ｒｘ同相／直交位相（Ｉ／Ｑ）信号１１１８をアナログ信号から変換することができ、第１のデジタル信号を出力することができる。第１のデジタル信号は、第１のベースバンドプロセッサ１１５７ａを通過し、全地球航法衛星システム（ＧＮＳＳ）コントローラ１１５９に入り得る。
【０１１６】
[00130]ワイヤレスワイドエリアネットワーク（ＷＷＡＮ）アナログデジタルコンバータ（ＡＤＣ）１１６９は、５Ｒｘ同相／直交位相（Ｉ／Ｑ）信号１１１７を第２のデジタル信号に変換することができる。第２のデジタル信号は、ワイヤレスワイドエリアネットワーク（ＷＷＡＮ）デジタルフロントエンド（ＤＦＥ）１１７１を通過し、ワイヤレスワイドエリアネットワーク（ＷＷＡＮ）サンプルメモリ１１７３に記憶され得る。さらに、第２のデジタル信号は、全地球航法衛星システム（ＧＮＳＳ）コントローラ１１５９に入力される前に、ワイヤレスワイドエリアネットワーク（ＷＷＡＮ）デジタルフロントエンド（ＤＦＥ）１１７１と第２のベースバンドプロセッサ１１５７ｂとを通過し得る。
【０１１７】
[00131]この構成において、ワイヤレスワイドエリアネットワーク（ＷＷＡＮ）デジタルフロントエンド（ＤＦＥ）１１７１など、既存の構成要素が再利用され得る。たとえば、利得制御およびワイヤレスワイドエリアネットワーク（ＷＷＡＮ）デジタルフロントエンド（ＤＦＥ）１１７１のワイヤレスワイドエリアネットワーク（ＷＷＡＮ）無線周波数（ＲＦ）ダイバースタックからのＤＣオフセットが再利用され得る。さらに、ＮｅｘｔＮａｖなど、より大きい信号が扱われ得る。ただし、この構成は、図９に関連して記載した第２の全地球航法衛星システム（ＧＮＳＳ）アナログデジタルコンバータ（ＡＤＣ）９５５ｂよりも多くの電力を消費し得る。
【０１１８】
[00132]図１２は、２次（たとえば、ワイヤレスワイドエリアネットワーク（ＷＷＡＮ））ダイバーシティのために使われるベースバンドデジタルモデム１２２２の一構成を示すブロック図である。ベースバンドデジタルモデム１２２２は、トランシーバチップ３１０の一部であっても、トランシーバチップ３１０とは別個の構成要素であってもよい。ベースバンドデジタルモデム１２２２は、図１のベースバンドデジタルモデム１２２に関連して記載したベースバンドデジタルモデムの一構成であってもよい。
【０１１９】
[00133]ベースバンドデジタルモデム１２２２は、第１のワイヤレスワイドエリアネットワーク（ＷＷＡＮ）アナログデジタルコンバータ（ＡＤＣ）１２６９ａと、第２のワイヤレスワイドエリアネットワーク（ＷＷＡＮ）アナログデジタルコンバータ（ＡＤＣ）１２６９ｂと、第３のワイヤレスワイドエリアネットワーク（ＷＷＡＮ）アナログデジタルコンバータ（ＡＤＣ）１２６９ｃと、第１のワイヤレスワイドエリアネットワーク（ＷＷＡＮ）デジタルフロントエンド（ＤＦＥ）１２７１ａと、第２のワイヤレスワイドエリアネットワーク（ＷＷＡＮ）デジタルフロントエンド（ＤＦＥ）１２７１ｂと、第３のワイヤレスワイドエリアネットワーク（ＷＷＡＮ）デジタルフロントエンド（ＤＦＥ）１２７１ｃと、ワイヤレスワイドエリアネットワーク（ＷＷＡＮ）コントローラ１２７５と、ワイヤレスワイドエリアネットワーク（ＷＷＡＮ）サンプルメモリ１２７３とを含み得る。ベースバンドデジタルモデム１２２２は、４Ｒｘ同相／直交位相（Ｉ／Ｑ）信号１２１８と５Ｒｘ同相／直交位相（Ｉ／Ｑ）信号１２１９とを受信することができる。ワイヤレスワイドエリアネットワーク（ＷＷＡＮ）コントローラ１２７５は、ワイヤレス通信デバイス１０４のより正確な決定を取得するのに、複数のデジタル信号を利用することができる。
【０１２０】
[00134]第１のワイヤレスワイドエリアネットワーク（ＷＷＡＮ）アナログデジタルコンバータ（ＡＤＣ）１２６９ａは、４Ｒｘ  Ｉ／Ｑ信号１２１８を受信することができる。第１のワイヤレスワイドエリアネットワーク（ＷＷＡＮ）アナログデジタルコンバータ（ＡＤＣ）１２６９ａは、４Ｒｘ同相／直交位相（Ｉ／Ｑ）信号１２１８を、アナログ信号からデジタル信号に変換することができる。デジタル信号は、第１のワイヤレスワイドエリアネットワーク（ＷＷＡＮ）デジタルフロントエンド（ＤＦＥ）１２７１ａを通過し、ワイヤレスワイドエリアネットワーク（ＷＷＡＮ）コントローラ１２７５に入り得る。ワイヤレスワイドエリアネットワーク（ＷＷＡＮ）コントローラ１２７５は、デジタル信号に基づいて、ワイヤレス通信デバイス１０４についてのデータを取得することができる。
【０１２１】
[00135]５Ｒｘ同相／直交位相（Ｉ／Ｑ）信号１２１９は、デジタル信号を取得するために、第２のワイヤレスワイドエリアネットワーク（ＷＷＡＮ）アナログデジタルコンバータ（ＡＤＣ）１２６９ｂを通され得る。デジタル信号は、ワイヤレスワイドエリアネットワーク（ＷＷＡＮ）コントローラ１２７５に入力される前に、第２のワイヤレスワイドエリアネットワーク（ＷＷＡＮ）デジタルフロントエンド（ＤＦＥ）１２７１ｂを通され得る。複数の２次信号（たとえば、ワイヤレスワイドエリアネットワーク（ＷＷＡＮ））を取得することによって、ワイヤレスワイドエリアネットワーク（ＷＷＡＮ）コントローラ１２７５は、正確さが向上し得る。
【０１２２】
[00136]５Ｒｘ同相／直交位相（Ｉ／Ｑ）信号１２１９は、第３のワイヤレスワイドエリアネットワーク（ＷＷＡＮ）アナログデジタルコンバータ（ＡＤＣ）１２６９ｃにも与えられ得る。第３のワイヤレスワイドエリアネットワーク（ＷＷＡＮ）アナログデジタルコンバータ（ＡＤＣ）１２６９ｃの出力は、第３のワイヤレスワイドエリアネットワーク（ＷＷＡＮ）デジタルフロントエンド（ＤＦＥ）１２７１ｃを通され、ワイヤレスワイドエリアネットワーク（ＷＷＡＮ）サンプルメモリ１２７３に記憶され得る。第２のワイヤレスワイドエリアネットワーク（ＷＷＡＮ）アナログデジタルコンバータ（ＡＤＣ）１２６９ｂと第３のワイヤレスワイドエリアネットワーク（ＷＷＡＮ）アナログデジタルコンバータ（ＡＤＣ）１２６９ｃは、５Ｒｘ同相／直交位相（Ｉ／Ｑ）信号１２１９についてのピンを共有することができる。
【０１２３】
[00137]図１３は、２次（たとえば、ワイヤレスワイドエリアネットワーク（ＷＷＡＮ））ダイバーシティのために使われるベースバンドデジタルモデム１３２２の別の構成を示すブロック図である。ベースバンドデジタルモデム１３２２は、図１に関連して記載したベースバンドデジタルモデム１１２の一構成であり得る。
【０１２４】
[00138]ベースバンドデジタルモデム１３２２は、第１のワイヤレスワイドエリアネットワーク（ＷＷＡＮ）アナログデジタルコンバータ（ＡＤＣ）１３６９ａと、第２のワイヤレスワイドエリアネットワーク（ＷＷＡＮ）アナログデジタルコンバータ（ＡＤＣ）１３６９ｂと、第１のワイヤレスワイドエリアネットワーク（ＷＷＡＮ）デジタルフロントエンド（ＤＦＥ）１３７１ａと、第２のワイヤレスワイドエリアネットワーク（ＷＷＡＮ）デジタルフロントエンド（ＤＦＥ）１３７１ｂと、第３のワイヤレスワイドエリアネットワーク（ＷＷＡＮ）デジタルフロントエンド（ＤＦＥ）１３７１ｃと、ワイヤレスワイドエリアネットワーク（ＷＷＡＮ）コントローラ１３７５と、ワイヤレスワイドエリアネットワーク（ＷＷＡＮ）サンプルメモリ１３７３とを含み得る。ベースバンドデジタルモデム１３２２は、４Ｒｘ同相／直交位相（Ｉ／Ｑ）信号１３１８と５Ｒｘ同相／直交位相（Ｉ／Ｑ）信号１３１９とを受信することができる。
【０１２５】
[00139]第１のワイヤレスワイドエリアネットワーク（ＷＷＡＮ）アナログデジタルコンバータ（ＡＤＣ）１３６９ａは、４Ｒｘ同相／直交位相（Ｉ／Ｑ）信号１３１８をデジタル信号に変換することができる。デジタル信号は、第１のワイヤレスワイドエリアネットワーク（ＷＷＡＮ）デジタルフロントエンド（ＤＦＥ）１３７１ａを通され、ワイヤレスワイドエリアネットワーク（ＷＷＡＮ）コントローラ１３７５に届き得る。
【０１２６】
[00140]第２のワイヤレスワイドエリアネットワーク（ＷＷＡＮ）アナログデジタルコンバータ（ＡＤＣ）１３６９ｂは、５Ｒｘ同相／直交位相（Ｉ／Ｑ）信号１３１９をデジタル信号に変換することができる。いくつかの構成では、第２のワイヤレスワイドエリアネットワーク（ＷＷＡＮ）アナログデジタルコンバータ（ＡＤＣ）１３６９ｂは、第１のワイヤレスワイドエリアネットワーク（ＷＷＡＮ）アナログデジタルコンバータ（ＡＤＣ）１３６９ａと同じクロックを使うことができる。
【０１２７】
[00141]第２のワイヤレスワイドエリアネットワーク（ＷＷＡＮ）アナログデジタルコンバータ（ＡＤＣ）１３６９ｂの出力は、第２のワイヤレスワイドエリアネットワーク（ＷＷＡＮ）デジタルフロントエンド（ＤＦＥ）１３７１ｂを通され、ワイヤレスワイドエリアネットワーク（ＷＷＡＮ）コントローラ１３７５に与えられ得る。第２のワイヤレスワイドエリアネットワーク（ＷＷＡＮ）アナログデジタルコンバータ（ＡＤＣ）１３６９ｂの出力はまた、第３のワイヤレスワイドエリアネットワーク（ＷＷＡＮ）デジタルフロントエンド（ＤＦＥ）１３７１ｃを通され、ワイヤレスワイドエリアネットワーク（ＷＷＡＮ）サンプルメモリ１３７３に記憶され得る。ただし、図１３のベースバンドデジタルモデム１３２２は、図１２に関連して記載したベースバンドデジタルモデム１２２２よりも少ない要素を要求し得るが、図１３のベースバンドデジタルモデム１３２２は、図１２に関連して記載したベースバンドデジタルモデム１２２２よりも多くの電力を消費し得る。
【０１２８】
[00142]図１４は、２次（たとえば、ワイヤレスワイドエリアネットワーク（ＷＷＡＮ））ダイバーシティのために使われるベースバンドデジタルモデム１４２２のさらに別の構成を示すブロック図である。ベースバンドデジタルモデム１４２２は、図１に関連して記載したベースバンドデジタルモデム１２２の一構成であり得る。
【０１２９】
[00143]ベースバンドデジタルモデム１４２２は、第１のワイヤレスワイドエリアネットワーク（ＷＷＡＮ）アナログデジタルコンバータ（ＡＤＣ）１４６９ａと、第２のワイヤレスワイドエリアネットワーク（ＷＷＡＮ）アナログデジタルコンバータ（ＡＤＣ）１４６９ｂと、第１のワイヤレスワイドエリアネットワーク（ＷＷＡＮ）デジタルフロントエンド（ＤＦＥ）１４７１ａと、第２のワイヤレスワイドエリアネットワーク（ＷＷＡＮ）デジタルフロントエンド（ＤＦＥ）１４７１ｂと、ワイヤレスワイドエリアネットワーク（ＷＷＡＮ）コントローラ１４７５と、ワイヤレスワイドエリアネットワーク（ＷＷＡＮ）サンプルメモリ１４７３とを含み得る。ベースバンドデジタルモデム１４２２は、４Ｒｘ同相／直交位相（Ｉ／Ｑ）信号１４１８と５Ｒｘ同相／直交位相（Ｉ／Ｑ）信号１４１９とを受信することができる。
【０１３０】
[00144]第１のワイヤレスワイドエリアネットワーク（ＷＷＡＮ）アナログデジタルコンバータ（ＡＤＣ）１４６９ａは、４Ｒｘ同相／直交位相（Ｉ／Ｑ）信号１４１８をアナログ信号から変換することができ、第１のデジタル信号を出力することができる。第１のデジタル信号は、第１のワイヤレスワイドエリアネットワーク（ＷＷＡＮ）デジタルフロントエンド（ＤＦＥ）１４７１ａを通過し、ワイヤレスワイドエリアネットワーク（ＷＷＡＮ）コントローラ１４７５に入り得る。
【０１３１】
[00145]第２のワイヤレスワイドエリアネットワーク（ＷＷＡＮ）アナログデジタルコンバータ（ＡＤＣ）１４６９ｂは、５Ｒｘ同相／直交位相（Ｉ／Ｑ）信号１４１９を第２のデジタル信号に変換することができる。第２のデジタル信号は、ワイヤレスワイドエリアネットワーク（ＷＷＡＮ）コントローラ１４７５に入力される前に、第２のワイヤレスワイドエリアネットワーク（ＷＷＡＮ）デジタルフロントエンド（ＤＦＥ）１４７１ｂを通過し得る。さらに、第２のデジタル信号は、第２のワイヤレスワイドエリアネットワーク（ＷＷＡＮ）デジタルフロントエンド（ＤＦＥ）１４７１ｂを通過し、ワイヤレスワイドエリアネットワーク（ＷＷＡＮ）サンプルメモリ１４７３に記憶され得る。
【０１３２】
[00146]この構成において、第２のワイヤレスワイドエリアネットワーク（ＷＷＡＮ）デジタルフロントエンド（ＤＦＥ）１４７１ｂなど、既存の構成要素が再利用され得る。たとえば、利得制御および第２のワイヤレスワイドエリアネットワーク（ＷＷＡＮ）デジタルフロントエンド（ＤＦＥ）１４７１ｂのワイヤレスワイドエリアネットワーク（ＷＷＡＮ）無線周波数（ＲＦ）ダイバースタックからのＤＣオフセットが再利用され得る。さらに、より大きい信号が扱われ得る。ただし、この構成は、図１２に関連して記載したベースバンドデジタルモデム１２２２よりも多くの電力を消費し得る。
【０１３３】
[00147]図１５は、ワイヤレス通信デバイス１５０４内に含まれ得るいくつかの構成要素を示す。ワイヤレス通信デバイス１５０４は、アクセス端末、移動局、ユーザ機器（ＵＥ）などであり得る。ワイヤレス通信デバイス１５０４はプロセッサ１５７３を含む。プロセッサ１５７３は、汎用のシングルチップまたはマルチチップのマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１５７３は、中央処理ユニット（ＣＰＵ）と呼ばれ得る。図１５のワイヤレス通信デバイス１５０４中に単一のプロセッサ１５７３のみが示されているが、代替構成では、プロセッサの組合せ（たとえば、ＡＲＭとＤＳＰ）が使用され得る。
【０１３４】
[00148]ワイヤレス通信デバイス１５０４はメモリ１５７５も含む。メモリ１５９５は、電子情報を記憶することが可能な任意の電子的構成要素であり得る。メモリ１５９５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ内に含まれるオンボードメモリ、ＥＰＲＯＭメモリ、ＥＥＰＲＯＭ（登録商標）メモリ、レジスタなど、およびそれらの組合せとして実施され得る。
【０１３５】
[00149]データ１５７７ａおよび命令１５７９ａは、メモリ１５９５に記憶され得る。命令１５７９ａは、本明細書で開示する方法を実装するためにプロセッサ１５７３によって実行可能であり得る。命令１５７９ａを実行することは、メモリ１５９５に記憶されたデータ１５７７ａの使用を伴い得る。プロセッサ１５７３が命令１５７９を実行すると、命令１５７９ｂの様々な部分がプロセッサ１５７３上にロードされてよく、様々なデータ１５７７ｂがプロセッサ１５７３上にロードされてよい。
【０１３６】
[00150]ワイヤレス通信デバイス１５０４はまた、第１のアンテナ１５８７ａ、第２のアンテナ１５８７ｂ、第３のアンテナ１５８７ｃおよび第４のアンテナ１５８７ｄを介して、ワイヤレス通信デバイス１５０４への信号の送信およびワイヤレス通信デバイス１５０４からの信号の受信を可能にするための、送信機１５８１と受信機１５８３とを含み得る。送信機１５８１および受信機１５８３はトランシーバ１５８５と総称され得る。ワイヤレス通信デバイス１５０４は、複数の送信機、追加のアンテナ、複数の受信機および／または複数のトランシーバ（図示せず）も含み得る。
【０１３７】
[00151]ワイヤレス通信デバイス１５０４は、デジタル信号プロセッサ（ＤＳＰ）１５９１を含み得る。ワイヤレス通信デバイス１５０４は通信インターフェース１５９３も含み得る。通信インターフェース１５９３は、ユーザがワイヤレス通信デバイス１５０４と対話することを可能にし得る。
【０１３８】
[00152]ワイヤレス通信デバイス１５０４の様々な構成要素は、電力バス、制御信号バス、ステータス信号バス、データバスなどを含み得る、１つまたは複数のバスによって互いに結合され得る。理解しやすいように、図１５では様々なバスがバスシステム１５８９として示される。
【０１３９】
[00153]「決定すること」という用語は、広範な様々な動作を含み、したがって、「決定すること」は、算出すること、計算すること、処理すること、導出すること、調査すること、探索すること（たとえば、テーブル、データベース、またはその他のデータ構造を探索すること）、確認することなどを含み得る。さらに、「決定すること」は、受信すること（たとえば、情報を受信すること）、評価すること（たとえば、メモリ内のデータを評価すること）などを含み得る。さらに、「決定すること」は、解決すること、選択すること、選ぶこと、確立することなどを含み得る。
【０１４０】
[00154]「に基づいて」という句は、別段に明記されていない限り、「のみに基づいて」を意味しない。言い換えれば、「に基づいて」という句は、「のみに基づいて」と「に少なくとも基づいて」の両方を表す。
【０１４１】
[00155]「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、ステートマシンなどを含むように広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成を指し得る。
【０１４２】
[00156]「メモリ」という用語は、電子情報を記憶することができる任意の電子構成要素を含むように広く解釈されるべきである。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなどのような、様々なタイプのプロセッサ可読媒体を指し得る。プロセッサがメモリから情報を読み取り、かつ／またはメモリに情報を書き込むことができる場合、メモリはプロセッサと電子通信していると言われる。プロセッサに統合されたメモリは、プロセッサと電気的に通信している。
【０１４３】
[00157]「命令」および「コード」という用語は、任意のタイプのコンピュータ読取り可能命令（単数または複数）を含むように広く解釈されるべきである。たとえば、「命令」および「コード」という用語は、１つまたは複数のプログラム、ルーチン、サブルーチン、関数、プロシージャなどを指すことがある。「命令」および「コード」は、単一のコンピュータ読取り可能命令、または、多くのコンピュータ読取り可能命令を備え得る。
【０１４４】
[00158]本明細書で説明された機能は、ハードウェアによって実行されるソフトウェアまたはファームウェアで実装され得る。その機能は、コンピュータ可読媒体上の１つまたは複数の命令として記憶され得る。「コンピュータ可読媒体」または「コンピュータプログラム製品」という用語は、コンピュータまたはプロセッサによってアクセスされ得る、任意の実体を持った記憶媒体を指す。限定ではなく例として、コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る、任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、一方ディスク（disc）は、データをレーザーで光学的に再生する。コンピュータ可読媒体は、有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指し得る。
【０１４５】
[00159]ソフトウェアまたは命令は、送信媒体上でも送信され得る。たとえば、ソフトウェアが、同軸ケーブル、光ファイバケーブル、より対線、デジタル加入者回線（ＤＳＬ）、または赤外線、無線、およびマイクロ波などのワイヤレス技術を使用して、ウェブサイト、サーバ、または他のリモートソースから送信される場合に、同軸ケーブル、光ファイバケーブル、より対線、ＤＳＬ、または赤外線、無線、およびマイクロ波などのワイヤレス技術は、伝送媒体の定義に含まれる。
【０１４６】
[00160]本明細書で開示された方法は、記載された方法を実現するための１つまたは複数のステップまたはアクションを備える。方法のステップおよび／またはアクションは、特許請求の範囲から逸脱することなく、互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【０１４７】
[00161]さらに、図４によって示されたものなど、本明細書で説明する方法および技法を実施するためのモジュールおよび／または他の適切な手段は、デバイスによってダウンロードされ、および／または他の方法で取得され得ることを諒解されたい。たとえば、本明細書に記載された方法を実施するための手段の移動を容易にするために、デバイスがサーバに接続され得る。代替的に、デバイスが、記憶手段をそのデバイスに結合するかまたは与えると様々な方法を取得し得るように、本明細書で説明した様々な方法が、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。その上、本明細書で説明された方法と技法とをデバイスに与えるための任意の他の好適な技法が利用され得る。
【０１４８】
[00162]特許請求の範囲は、上記に示された厳密な構成および構成要素に限定されないことを理解されたい。特許請求の範囲から逸脱することなく、本明細書で説明されたシステム、方法、および装置の構成、動作および詳細において、様々な修正、変更および変形が行われ得る。
以下に本願発明の当初の特許請求の範囲に記載された発明を付記する。
［Ｃ１］
複数の信号を受信するために構成されたワイヤレス通信デバイスであって、
シングルチップキャリアアグリゲーション受信機アーキテクチャを備え、前記シングルチップキャリアアグリゲーション受信機アーキテクチャは、
第１のアンテナと、
第２のアンテナと、
第３のアンテナと、
第４のアンテナと、
トランシーバチップと、
を備え、
前記トランシーバチップは複数のキャリアアグリゲーション受信機を備え、前記シングルチップキャリアアグリゲーション受信機アーキテクチャは、前記複数のキャリアアグリゲーション受信機のうちの少なくとも１つを２次ダイバーシティのために再利用する、ワイヤレス通信デバイス。
［Ｃ２］
前記複数のキャリアアグリゲーション受信機は、
第１の受信機と、
第２の受信機と、
第３の受信機と、
第４の受信機と、
を備え、前記トランシーバチップは、
送信機と、
第５の受信機と、
をさらに備える、Ｃ１に記載のワイヤレス通信デバイス。
［Ｃ３］
前記複数のキャリアアグリゲーション受信機は各々、複数の低雑音増幅器を備え、前記第５の受信機は複数の低雑音増幅器を備える、Ｃ２に記載のワイヤレス通信デバイス。
［Ｃ４］
前記第５の受信機は非キャリアアグリゲーション受信機である、Ｃ２に記載のワイヤレス通信デバイス。
［Ｃ５］
前記第５の受信機は非同時ハイブリッドデュアル受信機である、Ｃ２に記載のワイヤレス通信デバイス。
［Ｃ６］
前記第５の受信機は全地球航法衛星システム受信機である、Ｃ２に記載のワイヤレス通信デバイス。
［Ｃ７］
前記第５の受信機はＢｌｕｅｔｏｏｔｈ（登録商標）受信機である、Ｃ２に記載のワイヤレス通信デバイス。
［Ｃ８］
前記第５の受信機はＷｉ−Ｆｉ（登録商標）受信機である、Ｃ２に記載のワイヤレス通信デバイス。
［Ｃ９］
第１の２次ルーティングは、第４のＲｘ同相／直交位相信号を取得するために、前記第３のアンテナから前記第４の受信機を通して使用され、第２の２次ルーティングは、第５のＲｘ同相／直交位相信号を取得するために、前記第４のアンテナから前記第５の受信機を通して使用される、Ｃ２に記載のワイヤレス通信デバイス。
［Ｃ１０］
前記第１の２次ルーティングは第１の４Ｒｘ低雑音増幅器を通り、前記第２の２次ルーティングは第１の５Ｒｘ低雑音増幅器と第２の５Ｒｘ低雑音増幅器とを通る、Ｃ９に記載のワイヤレス通信デバイス。
［Ｃ１１］
前記第１の受信機は第１のミキサを備え、前記第２の受信機は第２のミキサを備え、前記第３の受信機は第３のミキサを備え、前記第４の受信機は第４のミキサを備え、前記第５の受信機は第５のミキサを備える、Ｃ９に記載のワイヤレス通信デバイス。
［Ｃ１２］
前記第１の２次ルーティングは前記第４のミキサを通る、Ｃ１１に記載のワイヤレス通信デバイス。
［Ｃ１３］
前記第４のミキサは、前記第２の受信機上の電圧制御発振器によって駆動される、Ｃ１２に記載のワイヤレス通信デバイス。
［Ｃ１４］
前記第４のミキサは、前記第５の受信機上の電圧制御発振器によって駆動される、Ｃ１２に記載のワイヤレス通信デバイス。
［Ｃ１５］
前記第４の受信機上の第６のミキサをさらに備え、前記第６のミキサは前記第５の受信機上の電圧制御発振器によって駆動される、Ｃ１２に記載のワイヤレス通信デバイス。
［Ｃ１６］
前記第５の受信機上の第６のミキサをさらに備え、前記第６のミキサは前記第５の受信機上の電圧制御発振器によって駆動される、Ｃ１２に記載のワイヤレス通信デバイス。
［Ｃ１７］
前記第１の２次ルーティングは第１の５ＲＸ低雑音増幅器を通り、前記第２の２次ルーティングは第２の５ＲＸ低雑音増幅器を通る、Ｃ９に記載のワイヤレス通信デバイス。
［Ｃ１８］
前記第４のＲｘ同相／直交位相信号および前記第５のＲｘ同相／直交位相信号はベースバンドデジタルモデムを通過する、Ｃ９に記載のワイヤレス通信デバイス。
［Ｃ１９］
前記ベースバンドデジタルモデムは、
第１のアナログデジタルコンバータと、
第１のベースバンドプロセッサと、
コントローラと、
第２のアナログデジタルコンバータと、
デジタルフロントエンドと、
サンプルメモリと、
を備える、Ｃ１８に記載のワイヤレス通信デバイス。
［Ｃ２０］
前記第１のアナログデジタルコンバータは全地球航法衛星システムアナログデジタルコンバータであり、前記コントローラは全地球航法衛星システムコントローラであり、前記第２のアナログデジタルコンバータはワイヤレス広帯域エリアネットワークアナログデジタルコンバータであり、前記デジタルフロントエンドはワイヤレス広帯域エリアネットワークデジタルフロントエンドであり、前記サンプルメモリは広帯域エリアネットワークサンプルメモリである、Ｃ１９に記載のワイヤレス通信デバイス。
［Ｃ２１］
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、第３のアナログデジタルコンバータと、第２のベースバンドプロセッサと、前記コントローラとを通過する、Ｃ１９に記載のワイヤレス通信デバイス。
［Ｃ２２］
前記第３のアナログデジタルコンバータは全地球航法衛星システムアナログデジタルコンバータである、Ｃ２１に記載のワイヤレス通信デバイス。
［Ｃ２３］
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、第２のアナログデジタルコンバータと、第２のベースバンドプロセッサと、前記コントローラとを通過する、Ｃ１９に記載のワイヤレス通信デバイス。
［Ｃ２４］
前記第４のＲｘ同相／直交位相信号は、前記第１のアナログデジタルコンバータと、前記第１のベースバンドプロセッサと、前記コントローラとを通過し、前記第５のＲｘ同相／直交位相信号は、前記第２のアナログデジタルコンバータと、前記デジタルフロントエンドと、前記サンプルメモリとを通過し、前記第５のＲｘ同相／直交位相信号は、第２のアナログデジタルコンバータと、前記デジタルフロントエンドと、第２のベースバンドプロセッサと、前記コントローラとを通過する、Ｃ１９に記載のワイヤレス通信デバイス。
［Ｃ２５］
前記ベースバンドデジタルモデムは、
第１のアナログデジタルコンバータと、
第１のデジタルフロントエンドと、
コントローラと、
第２のアナログデジタルコンバータと、
第２のデジタルフロントエンドと、
サンプルメモリと、
を備える、Ｃ１８に記載のワイヤレス通信デバイス。
［Ｃ２６］
前記第１のアナログデジタルコンバータはワイヤレス広帯域エリアネットワークアナログデジタルコンバータであり、前記第１のデジタルフロントエンドはワイヤレス広帯域エリアネットワークデジタルフロントエンドであり、前記コントローラはワイヤレス広帯域エリアネットワークコントローラであり、前記第２のアナログデジタルコンバータはワイヤレス広帯域エリアネットワークアナログデジタルコンバータであり、前記第２のデジタルフロントエンドはワイヤレス広帯域エリアネットワークデジタルフロントエンドであり、前記サンプルメモリは広帯域エリアネットワークサンプルメモリである、Ｃ２５に記載のワイヤレス通信デバイス。
［Ｃ２７］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第３のアナログデジタルコンバータと、第３のデジタルフロントエンドと、前記コントローラとを通過する、Ｃ２５に記載のワイヤレス通信デバイス。
［Ｃ２８］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、第３のデジタルフロントエンドと、前記コントローラとを通過する、Ｃ２５に記載のワイヤレス通信デバイス。
［Ｃ２９］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、前記第２のデジタルフロントエンドと、前記コントローラとを通過する、Ｃ２５に記載のワイヤレス通信デバイス。
［Ｃ３０］
第１のアンテナと、第２のアンテナと、第３のアンテナと、第４のアンテナとを備えるシングルチップキャリアアグリゲーション受信機アーキテクチャを使用して複数の信号を受信するための方法であって、
前記第３のアンテナを使って第１の２次信号を受信することと、
前記シングルチップキャリアアグリゲーション受信機アーキテクチャ中のトランシーバチップ上の第４の受信機を通して前記第１の２次信号をルーティングすることと、ここで、前記第４の受信機は複数のキャリアアグリゲーション受信機のうちの１つであり、前記第４の受信機は２次ダイバーシティのために再利用され、
前記第４のアンテナを使って第２の２次信号を受信することと、
前記シングルチップキャリアアグリゲーション受信機アーキテクチャ中のトランシーバチップ上の第５の受信機を通して前記第２の２次信号をルーティングすることと、
を備える方法。
［Ｃ３１］
前記第１の２次ルーティングは、第４のＲｘ同相／直交位相信号を取得するのに使用され、前記第２の２次ルーティングは、第５のＲｘ同相／直交位相信号を取得するのに使用される、Ｃ３０に記載の方法。
［Ｃ３２］
前記第５の受信機は非キャリアアグリゲーション受信機である、Ｃ３０に記載の方法。
［Ｃ３３］
前記第５の受信機は非同時ハイブリッドデュアル受信機である、Ｃ３０に記載の方法。
［Ｃ３４］
前記第５の受信機は全地球航法衛星システム受信機である、Ｃ３０に記載の方法。
［Ｃ３５］
前記第５の受信機はＢｌｕｅｔｏｏｔｈ受信機である、Ｃ３０に記載の方法。
［Ｃ３６］
前記第５の受信機はＷｉ−Ｆｉ受信機である、Ｃ３０に記載の方法。
［Ｃ３７］
前記第１の２次信号は第１の４ＲＸ低雑音増幅器通ってさらにルーティングされ、前記第２の２次信号は、第１の５ＲＸ低雑音増幅器および第２の５ＲＸ低雑音増幅器を通ってさらにルーティングされる、Ｃ３０に記載の方法。
［Ｃ３８］
前記複数のキャリアアグリゲーション受信機は、
第１の受信機と、
第２の受信機と、
第３の受信機と、
前記第４の受信機と、
を備えるＣ３０に記載の方法。
［Ｃ３９］
前記複数のキャリアアグリゲーション受信機は各々、複数の低雑音増幅器を備え、前記第５の受信機は複数の低雑音増幅器を備える、Ｃ３８に記載の方法。
［Ｃ４０］
前記複数のキャリアアグリゲーション受信機は、
前記第１の受信機上の第１のミキサと、
前記第２の受信機上の第２のミキサと、
前記第３のキャリア上の第３のミキサと、
前記第４の受信機上の第４のミキサと、
を備え、前記第５の受信機は第５のミキサを備える、Ｃ３８に記載の方法。
［Ｃ４１］
前記第１の２次信号は、前記第４のミキサを通してさらにルーティングされる、Ｃ４０に記載の方法。
［Ｃ４２］
前記第４のミキサは、前記第２の受信機上の電圧制御発振器によって駆動される、Ｃ４１に記載の方法。
［Ｃ４３］
前記第４のミキサは、前記第５の受信機上の電圧制御発振器によって駆動される、Ｃ４１に記載の方法。
［Ｃ４４］
前記トランシーバチップは前記第４の受信機上の第６のミキサをさらに備え、前記第６のミキサは前記第５の受信機上の電圧制御発振器によって駆動される、Ｃ４１に記載の方法。
［Ｃ４５］
前記トランシーバチップは前記第５の受信機上の第６のミキサをさらに備え、前記第６のミキサは前記第５の受信機上の電圧制御発振器によって駆動される、Ｃ４１に記載の方法。
［Ｃ４６］
前記第１の２次信号は第１の５ＲＸ低雑音増幅器を通ってルーティングされ、前記第２の２次信号は第２の５ＲＸ低雑音増幅器を通ってルーティングされる、Ｃ３０に記載の方法。
［Ｃ４７］
前記第４のＲｘ同相／直交位相信号および前記第５のＲｘ同相／直交位相信号はベースバンドデジタルモデムを通過する、Ｃ３０に記載の方法。
［Ｃ４８］
前記ベースバンドデジタルモデムは、
第１のアナログデジタルコンバータと、
第１のベースバンドプロセッサと、
コントローラと、
第２のアナログデジタルコンバータと、
デジタルフロントエンドと、
サンプルメモリと、
を備える、Ｃ４７に記載の方法。
［Ｃ４９］
前記第１のアナログデジタルコンバータは全地球航法衛星システムアナログデジタルコンバータであり、前記コントローラは全地球航法衛星システムコントローラであり、前記第２のアナログデジタルコンバータはワイヤレス広帯域エリアネットワークアナログデジタルコンバータであり、前記デジタルフロントエンドはワイヤレス広帯域エリアネットワークデジタルフロントエンドであり、前記サンプルメモリは広帯域エリアネットワークサンプルメモリである、Ｃ４８に記載の方法。
［Ｃ５０］
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、第３のアナログデジタルコンバータと、第２のベースバンドプロセッサと、前記コントローラとをさらに通過する、Ｃ４８に記載の方法。
［Ｃ５１］
前記第３のアナログデジタルコンバータは全地球航法衛星システムアナログデジタルコンバータである、Ｃ５０に記載の方法。
［Ｃ５２］
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、第２のアナログデジタルコンバータと、第２のベースバンドプロセッサと、前記コントローラとをさらに通過する、Ｃ４８に記載の方法。
［Ｃ５３］
前記第４のＲｘ同相／直交位相信号は、前記第１のアナログデジタルコンバータと、前記第１のベースバンドプロセッサと、前記コントローラとをさらに通過し、前記第５のＲｘ同相／直交位相信号は、前記第２のアナログデジタルコンバータと、前記デジタルフロントエンドと、前記サンプルメモリとをさらに通過し、前記第５のＲｘ同相／直交位相信号は、第２のアナログデジタルコンバータと、前記デジタルフロントエンドと、第２のベースバンドプロセッサと、前記コントローラとをさらに通過する、Ｃ４８に記載の方法。
［Ｃ５４］
前記ベースバンドデジタルモデムは、
第１のアナログデジタルコンバータと、
第１のデジタルフロントエンドと、
コントローラと、
第２のアナログデジタルコンバータと、
第２のデジタルフロントエンドと、
サンプルメモリと、
を備える、Ｃ４７に記載の方法。
［Ｃ５５］
前記第１のアナログデジタルコンバータはワイヤレス広帯域エリアネットワークアナログデジタルコンバータであり、前記第１のデジタルフロントエンドはワイヤレス広帯域エリアネットワークデジタルフロントエンドであり、前記コントローラはワイヤレス広帯域エリアネットワークコントローラであり、前記第２のアナログデジタルコンバータはワイヤレス広帯域エリアネットワークアナログデジタルコンバータであり、前記第２のデジタルフロントエンドはワイヤレス広帯域エリアネットワークデジタルフロントエンドであり、前記サンプルメモリは広帯域エリアネットワークサンプルメモリである、Ｃ５４に記載の方法。
［Ｃ５６］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第３のアナログデジタルコンバータと、第３のデジタルフロントエンドと、前記コントローラとを通過する、Ｃ５４に記載の方法。
［Ｃ５７］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、第３のデジタルフロントエンドと、前記コントローラとを通過する、Ｃ５４に記載の方法。
［Ｃ５８］
前記第４のＲｘ同相／直交位相信号は、前記第１のアナログデジタルコンバータと、前記第１のデジタルフロントエンドと、前記コントローラとを通過し、前記第５のＲｘ同相／直交位相信号は、前記第２のアナログデジタルコンバータと、前記第２のデジタルフロントエンドと、前記サンプルメモリとを通過し、前記第５のＲｘ同相／直交位相信号は、第２のアナログデジタルコンバータと、前記第２のデジタルフロントエンドと、前記コントローラとを通過する、Ｃ５４に記載の方法。
［Ｃ５９］
第１のアンテナと、第２のアンテナと、第３のアンテナと、第４のアンテナとを備えるシングルチップキャリアアグリゲーション受信機アーキテクチャを使用して複数の信号を受信するためのコンピュータプログラム製品であって、前記コンピュータプログラム製品は、命令を有する非一時的コンピュータ可読媒体を備え、前記命令は、
ワイヤレス通信デバイスに、前記第３のアンテナを使用して第１の２次信号を受信させるためのコードと、
前記ワイヤレス通信デバイスに、前記シングルチップキャリアアグリゲーション受信機アーキテクチャ中のトランシーバチップ上の第４の受信機を通して前記第１の２次信号をルーティングさせるためのコードと、ここで、前記第４の受信機は複数のキャリアアグリゲーション受信機のうちの１つであり、前記第４の受信機は２次ダイバーシティのために再利用され、
前記ワイヤレス通信デバイスに、前記第４のアンテナを使用して第２の２次信号を受信させるためのコードと、
前記ワイヤレス通信デバイスに、前記シングルチップキャリアアグリゲーション受信機アーキテクチャ中のトランシーバチップ上の第５の受信機を通して、前記第２の２次信号をルーティングさせるためのコードと、
を備える、コンピュータプログラム製品。
［Ｃ６０］
前記第１の２次ルーティングは、第４のＲｘ同相／直交位相信号を取得するのに使用され、前記第２の２次ルーティングは、第５のＲｘ同相／直交位相信号を取得するのに使用される、Ｃ５９に記載のコンピュータプログラム製品。
［Ｃ６１］
第１のアンテナと、第２のアンテナと、第３のアンテナと、第４のアンテナとを備えるシングルチップキャリアアグリゲーション受信機アーキテクチャを使用して複数の信号を受信するための装置であって、
前記第３のアンテナを使用して第１の２次信号を受信するための手段と、
前記シングルチップキャリアアグリゲーション受信機アーキテクチャ中のトランシーバチップ上の第４の受信機を通して前記第１の２次信号をルーティングするための手段と、ここで、前記第４の受信機は複数のキャリアアグリゲーション受信機のうちの１つであり、前記第４の受信機は２次ダイバーシティのために再利用され、
前記第４のアンテナを使用して第２の２次信号を受信するための手段と、
前記シングルチップキャリアアグリゲーション受信機アーキテクチャ中のトランシーバチップ上の第５の受信機を通して前記第２の２次信号をルーティングするための手段と、
を備える装置。
［Ｃ６２］
前記第１の２次ルーティングは、第４のＲｘ同相／直交位相信号を取得するのに使用され、前記第２の２次ルーティングは、第５のＲｘ同相／直交位相信号を取得するのに使用される、Ｃ６２に記載の装置。
【図１】
0005985781.tif 000002
【図２】
0005985781.tif 000003
【図３】
0005985781.tif 000004
【図４】
0005985781.tif 000005
【図５】
0005985781.tif 000006
【図６】
0005985781.tif 000007
【図７】
0005985781.tif 000008
【図８】
0005985781.tif 000009
【図９】
0005985781.tif 000010
【図１０】
0005985781.tif 000011
【図１１】
0005985781.tif 000012
【図１２】
0005985781.tif 000013
【図１３】
0005985781.tif 000014
【図１４】
0005985781.tif 000015
【図１５】
0005985781.tif 000016